(57)【要約】【課題】少ない時間で効率的にパワーリソースを割り当てること。【解決手段】グループ作成部１５０は、バッファ１５２に保持されたパケット、すなわち所定の時間内において通信端末装置に送信するデータの蓄積量、またはデータ伝送サービスの種類のいずれか一つまたは複数からパケットの通信レートを算出し、この通信レートの大きさ別にパケットをグループ分けする。スケジューラ部１５１は、優先度が最も高いパケットが属するグループ及び他のグループから優先度の高い順に所定の数のパケットを選択する。通信レートの高いグループは、多くのパワーを必要とするので、選択するパケットの数を少なくする。また、通信レートの低いグループは少ないパワーしか必要としないので、選択するパケットの数を多くする。【選択図】      図１
2004297364.tif 000002
【特許請求の範囲】
【請求項１】
所定の時間内に一または複数のパケットを多重して送信する無線送信装置であって、パケットを所定の通信レートの範囲別でグループ分けするグループ化手段と、パケットの優先度を計算する優先度計算手段と、各グループから所定の数のパケットを優先度の高い順に選択する選択手段と、前記選択手段によって選択されたパケットについて送信に必要となるパワーを算出するパワー算出手段と、選択されたパケットについて送信に必要なパワーの合計がパワーリソース以内であるパケットの組み合わせを決定する多重決定手段と、前記多重決定手段によって決定されたパケットを多重して送信する送信手段と、を具備することを特徴とする無線送信装置。
【請求項２】
前記パワー算出手段は、パケットの送信先である各通信装置との個別の通信に用いられる個別チャネルのパワーを算出する個別チャネルパワー算出手段と、前記通信装置共通の制御チャネルのパワーを算出する共通制御チャネルパワー算出手段と、全体のパワーリソースから前記個別チャネルのパワーと前記共通の制御チャネルのパワーを減算し、共有チャネルで利用できるパワーリソースを算出する共有チャネルパワーリソース算出手段と、を具備することを特徴とする請求項１に記載の無線送信装置。
【請求項３】
前記パワー算出手段は、前記選択手段によって選択されたパケットについて、優先度の高いパケットから順にパケット送信に必要となる共有チャネルのパワーを逐次算出する共有チャネルパワー算出手段を具備し、前記多重決定手段は、前記共有チャネルのパワーを優先度の高いパケットから順に加算して共有チャネルのパワーの総計を算出するパワー加算手段と、前記パワーの総計が前記共有チャネルのパワーリソースを越えた場合に前記共有チャネルパワー算出手段のパワー算出の中止を指示する判定手段と、前記パワーの総計が前記全体のパワーリソース以内であるパケットのみを前記送信手段に出力する出力手段と、を具備することを特徴とする請求項２に記載の無線送信装置。
【請求項４】
前記パワー算出手段は、前記選択手段によって選択されたパケットについて、前記共有チャネルのパワーリソースに基づいてパケット毎に利用可能なパワーを予め算出し割り当てるパワー割り当て手段と、前記選択手段によって選択されたパケットについて、パケット送信に必要となる共有チャネルのパワーを算出する共有チャネルパワー算出手段と、を具備し、前記多重決定手段は、前記共有チャネルのパワーが前記割り当てられたパワー以内であるパケットのみを前記送信手段に出力する出力手段を具備することを特徴とする請求項２に記載の無線送信装置。
【請求項５】
前記パワー算出手段は、前記選択手段によって選択されたパケットについて、前記グループに基づいてパケット毎に利用可能なパワーを予め算出し割り当てるパワー割り当て手段と、前記パワー割り当て手段によって割り当てられたパワーを加算して割り当てられたパワーの総計を算出するパワー加算手段と、前記割り当てられたパワーの総計が前記共有チャネルのパワーリソース以内であるパケットについて、パケット送信に必要となる共有チャネルのパワーを算出する共有チャネルパワー算出手段と、を具備し、前記多重決定手段は、前記共有チャネルのパワーが前記割り当てられたパワー以内であるパケットのみを前記送信手段に出力する出力手段を具備することを特徴とする請求項２に記載の無線送信装置。
【請求項６】
前記パワー算出手段は、前記選択手段によって選択されたパケットについて、前記グループに基づいてパケット毎に利用可能なパワーリソースを算出するパワー割り当て手段と、前記選択手段によって選択されたパケットについて、パケット送信に必要となる共有チャネルのパワーを算出する共有チャネルパワー算出手段と、を具備し、前記多重決定手段は、前記共有チャネルのパワーが前記割り当てられたパワー以内であるパケットについて、前記共有チャネルのパワーを加算して共有チャネルのパワーの総計を算出するパワー加算手段と、前記パワーの総計が前記共有チャネルのパワーリソース以内であるパケットのみを前記送信手段に出力する出力手段と、を具備することを特徴とする請求項２に記載の無線送信装置。
【請求項７】
前記グループ化手段は、所定の時間内においてパケットの送信先である通信装置に送信するデータの蓄積量、またはデータ伝送サービスの種類のいずれか一つまたは複数からパケットの通信レートを算出するレート算出手段と、前記通信レートを所定の通信レートの範囲別で区分して前記パケットをグループ分けするグループ分け手段と、を具備することを特徴とする請求項１から請求項６のいずれかに記載の無線送信装置。
【請求項８】
前記選択手段は、通信レートの低いグループで選択するパケットの数を通信レートの高いグループが選択するパケットの数より多くすることを特徴とする請求項１から請求項７のいずれかに記載の無線送信装置。
【請求項９】
前記送信手段は、パワー算出の過程で全体のパワーリソースを越えた場合、または前記選択手段によって選択されたパケットのパワーを全て算出した場合に、前記多重決定手段によって決定されたパケットに残るパワーを上乗せして送信することを特徴とする請求項３または請求項６に記載の無線送信装置。
【請求項１０】
前記送信手段は、前記共有チャネルパワー算出手段によって算出された共有チャネルのパワーが前記パワー割り当て手段によって割り当てられたパワー以内である場合、前記割り当てられたパワー全てを使ってパケットを送信することを特徴とする請求項４または請求項５に記載の無線送信装置。
【請求項１１】
前記判定手段は、前記パワー加算手段によって加算されたパワーの総計が前記共有チャネルパワー算出手段によって算出された共有チャネルのパワーリソースと等しくなった場合または所定の値以上になった場合に、前記共有チャネルパワー算出手段のパワー算出の中止を指示することを特徴とする請求項３に記載の無線送信装置。
【請求項１２】
前記個別チャネルパワー算出手段は、パケットの送信先である各通信装置との個別の通信に用いられる個別チャネルのパワーを予め定めた値とすることを特徴とする請求項２から請求項６のいずれかに記載の無線送信装置。
【請求項１３】
前記共通制御チャネルパワー算出手段は、パケットの送信先である通信装置共通の制御チャネルのパワーを予め定めた値とすることを特徴とする請求項２から請求項６のいずれかに記載の無線送信装置。
【請求項１４】
前記個別チャネルパワー算出手段は、パケットの送信先である各通信装置との個別の通信に用いられる個別チャネルの数が少ない場合より多い場合に、個別チャネルのパワーの予め定めた値を大きくすることを特徴とする請求項１２に記載の無線送信装置。
【請求項１５】
前記個別チャネルパワー算出手段は、パケットの送信先である各通信装置から無線送信装置への送信電力を上げる要求が少ない場合より多い場合に、個別チャネルのパワーの予め定めた値を大きくすることを特徴とする請求項１２に記載の無線送信装置。
【請求項１６】
請求項１から請求項１５のいずれかに記載の無線送信装置を有することを特徴とする基地局装置。
【請求項１７】
請求項１から請求項１５のいずれかに記載の無線送信装置を有することを特徴とする通信端末装置。
【請求項１８】
所定の時間内に一または複数のパケットを多重して送信する無線送信方法であって、パケットを所定の通信レートの範囲別でグループ分けし、パケットの優先度を計算し、各グループから所定の数のパケットを優先度の高い順に選択し、選択されたパケットについて送信に必要となるパワーを算出し、選択されたパケットについて送信に必要なパワーの合計がパワーリソース以内であるパケットの組み合わせを決定し、決定されたパケットを多重して送信することを特徴とする無線送信方法。
【請求項１９】
所定の時間内に一または複数のパケットを多重して送信する無線送信プログラムであって、パケットを所定の通信レートの範囲別でグループ分けするグループ化ステップと、パケットの優先度を計算する優先度計算ステップと、各グループから所定の数のパケットを優先度の高い順に選択する選択ステップと、前記選択ステップによって選択されたパケットについて送信に必要となるパワーを算出するパワー算出ステップと、選択されたパケットについて送信に必要なパワーの合計がパワーリソース以内であるパケットの組み合わせを決定する多重決定ステップと、前記多重決定ステップによって決定されたパケットを多重して送信する送信ステップと、をコンピュータに実行させることを特徴とする無線送信プログラム。
【発明の詳細な説明】
【０００１】
【発明の属する技術分野】
本発明は、無線送信装置及び無線送信方法に関し、特に、高速パケット伝送を行う無線通信システムに用いられる無線送信装置及び無線送信方法に関する。
【０００２】
【従来の技術】
無線通信の分野では、無線送信装置からパケットの送信先である通信装置に高速パケット伝送を行う方式、特に、高速大容量な下りチャネルを複数の通信端末装置が共有し、基地局装置から通信端末装置にパケットを伝送する下り高速パケット伝送方式が開発されている。下り高速パケット伝送方式では、伝送効率を高めるために、スケジューリング技術及び適応変調技術が用いられている。
【０００３】
スケジューリング技術とは、基地局装置がタイムスロット毎に下り高速パケットの送信先となる通信端末装置（以下、「送信先装置」という）を設定し、送信先装置に送信するパケットを割り当てる技術である。また、適応変調技術とは、パケット送信する通信端末装置の伝搬路の状態に応じて適応的に変調方式あるいは符号化率（ＭＣＳ：  Ｍｏｄｕｌａｔｉｏｎ  ａｎｄ  Ｃｏｄｉｎｇ  Ｓｃｈｅｍｅ）を決定する技術である。
【０００４】
また、高速パケット伝送を行う無線通信システムでは、データの受信性能の向上を図るためにＡＲＱ（Ａｕｔｏｍａｔｉｃ  Ｒｅｐｅａｔ  Ｒｅｑｕｅｓｔ）、特に、Ｈ−ＡＲＱ（Ｈｙｂｒｉｄ−Ａｕｔｏｍａｔｉｃ  Ｒｅｐｅａｔ  Ｒｅｑｕｅｓｔ）が用いられている。ＡＲＱとは、受信側装置で誤りが検出されたデータ単位を送信側装置が再送信する処理を自動的に行う技術であり、Ｈ−ＡＲＱは、送信側装置が再送時に特定のビットのみを選択して受信側装置に送信し、受信側装置において再送信号と既受信信号とを合成して復号する技術である。
【０００５】
以下、高速パケット伝送を行う無線通信システムの基地局装置及び通信端末装置の動作について概説する。
【０００６】
基地局装置は、各通信端末装置から送信された下り回線状態の報告値に基づいて回線品質を予測し、最も回線品質が良い通信端末装置を送信先装置として、各タイムスロットにその送信先装置へのパケットを割り当てる。基地局装置は、下り回線状態の報告値から決定する方式でパケットを誤り訂正符号化及び変調して送信先装置に送信する。
【０００７】
各通信端末装置は、受信したスケジューリング結果を示す情報に基づいて、自局宛のパケットが割り当てられたタイムスロットにおいて復調を行い、ＣＲＣ検出等を行って、パケットデータを正しく復調できた場合にはこれを示すＡＣＫ信号を、パケットデータを正しく復調できなかった場合にはこれを示すＮＡＣＫ信号を基地局装置に送信する。
【０００８】
基地局装置は、ＡＣＫ信号を受信すると新規データを送信し、ＮＡＣＫ信号を受信すると同一データを再送信する。
【０００９】
このように、下り高速パケット伝送方式は、セクタ内に存在する全ての通信端末装置で１つのチャネルを共有して効率的にパケットを伝送するので、リソースを有効活用することができる。
【００１０】
この下り高速パケット伝送方式の一つであるＨＳＤＰＡ（Ｈｉｇｈ  ｓｐｅｅｄ    ｄｏｗｎｌｉｎｋ    Ｐａｃｋｅｔ    Ａｃｃｅｓｓ）は、同一のタイムスロットで複数の通信端末装置にコード多重してパケットデータを送信する方法である。この方法では、複数の通信端末装置に送信するパワーの合計が基地局装置の送信電力の能力に収まるように各通信端末装置への送信電力を決定する。以下、ＨＳＤＰＡを用いて通信を行う例について説明する。
【００１１】
図１０は、従来の基地局装置のスケジューラ部の構成を示すブロック図である。図１０において、Ｑｕｅｕｅ１０は、通信端末装置宛に送信する一つまたは複数のパケットをサービスやデータ量毎に振り分け、保持する。優先度計算部１１は、Ｑｕｅｕｅ毎の優先度を計算する。以降、優先度の高いパケット（ＵＥ）から順にパワー算出の処理を行う。
【００１２】
Ａ−ＤＰＣＨパワー算出部１３は、Ａｓｓｏｃｉａｔｅｄ  ＤＰＣＨ（Ｄｅｄｉｃａｔｅｄ  Ｐｈｙｓｉｃａｌ  Ｃｈａｎｎｅｌ）の全パワーを算出してＨＳチャネルパワーリソース算出部１５に出力する。共通チャネルパワー算出部１４は、通信端末装置共通の制御チャネル（共通チャネルと呼ぶ）のパワーを算出してＨＳチャネルパワーリソース算出部１５に出力する。ここで、共通チャネルとは、ＣＰＩＣＨ（Ｃｏｍｍｏｎ  Ｐｉｌｏｔ  Ｃｈａｎｎｅｌ）やＣＣＰＣＨ（Ｃｏｍｍｏｎ  Ｃｏｎｔｒｏｌ  Ｐｈｙｓｉｃａｌ  Ｃｈａｎｎｅｌ）やＳＣＨ（Ｓｙｎｃｈｒｏｎｉｓａｔｉｏｎ  Ｃｈａｎｎｅｌ）やＰＩＣＨ（Ｐａｇｅ  Ｉｎｄｉｃａｔｏｒ  Ｃｈａｎｎｅｌ）やＡＩＣＨ（Ａｃｑｕｉｓｉｔｉｏｎ  Ｉｎｄｉｃａｔｏｒ  Ｃｈａｎｎｅｌ）等を指す。
【００１３】
ＨＳチャネルパワーリソース算出部１５は、利用可能なパワーリソースからＡ−ＤＰＣＨパワー算出部１３で算出したＡｓｓｏｃｉａｔｅｄ  ＤＰＣＨの全パワーと共通チャネルパワー算出部１４で算出した共通チャネルのパワーとを減算してＨＳＤＰＡチャネルに利用できるパワーリソース（ＨＳチャネルパワーリソースと呼ぶ）を算出し、パワー算出処理制御部２５に出力する。
【００１４】
ＨＳ−ＳＣＣＨパワー算出部１２は、１回目のパワー算出処理の場合、優先度が最も高いパケットのＨＳ−ＳＣＣＨ（Ｓｈａｒｅｄ  Ｃｏｎｔｒｏｌ  Ｃｈａｎｎｅｌ  ｆｏｒ  ＨＳ−ＤＳＣＨ）のパワーを算出し、ＨＳ−ＳＣＣＨパワー判定部１６に出力する。
【００１５】
パワー算出処理制御部２５は、１回目のパワー算出処理の場合、ＨＳチャネルパワーリソース算出部１５で算出したＨＳチャネルパワーリソースを、ＨＳ−ＳＣＣＨパワー判定部１６に出力する。
【００１６】
ＨＳ−ＳＣＣＨパワー判定部１６は、ＨＳ−ＳＣＣＨパワー算出部１２で算出した優先度が最も高いパケットのＨＳ−ＳＣＣＨのパワーが、パワー算出処理制御部２５から出力されたＨＳチャネルパワーリソース以内であるか否か判定する。ＨＳ−ＳＣＣＨのパワーがＨＳチャネルパワーリソース以内である場合、ＨＳ−ＳＣＣＨパワー判定部１６は、ＨＳ−ＳＣＣＨのパワーを残りパワー算出部１８及びＵＥ多重決定部１９に出力し、優先度が最も高いパケットのＨＳ−ＳＣＣＨのパワーがＨＳチャネルパワーリソース以内である情報をＨＳ−ＰＤＳＣＨパワー算出部１７、ＵＥ多重決定部１９及びパワー算出処理制御部２５に出力する。
【００１７】
ＨＳ−ＳＣＣＨパワー判定部１６からＨＳ−ＳＣＣＨのパワーがＨＳチャネルパワーリソース以内である情報を受けた場合、パワー算出処理制御部２５は、１回目のパワー算出処理の場合、ＨＳチャネルパワーリソース算出部１５で算出したＨＳチャネルパワーリソースからＨＳ−ＳＣＣＨのパワーを減算する指示を、残りパワー算出部１８に出力する。
【００１８】
残りパワー算出部１８は、パワー算出処理制御部２５から出力されたＨＳチャネルパワーリソースから優先度が最も高いパケットのＨＳ−ＳＣＣＨのパワーを減算し、残りのパワーＡをパワー算出処理制御部２５に出力する。
【００１９】
ＨＳ−ＳＣＣＨパワー算出部１２で算出したＨＳ−ＳＣＣＨのパワーが、パワー算出処理制御部２５から出力されたＨＳチャネルパワーリソースを越えていた場合、ＨＳ−ＳＣＣＨパワー判定部１６は、優先度が最も高いパケットのＨＳ−ＳＣＣＨのパワーがＨＳチャネルパワーリソースを超えた情報を、ＵＥ多重決定部１９に出力する。
【００２０】
ＨＳ−ＳＣＣＨパワー判定部１６からＨＳ−ＳＣＣＨのパワーがＨＳチャネルパワーリソース以内である情報を受けた場合、パワー算出処理制御部２５は、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）のパワーを算出する指示を、ＨＳ−ＰＤＳＣＨパワー算出部１７に出力する。また、パワー算出処理制御部２５は、残りパワー算出部１８から出力された残りのパワーＡを、ＨＳ−ＰＤＳＣＨパワー算出部１７に出力する。
【００２１】
ＨＳ−ＰＤＳＣＨパワー算出部１７は、優先度が最も高いパケットに対応したＣＱＩ（Ｃｈａｎｎｅｌ  Ｑｕａｌｉｔｙ  Ｉｎｄｉｃａｔｏｒ）信号と、パワー算出処理制御部２５から出力された残りのパワーＡ等から、優先度が最も高いパケットのＨＳ−ＰＤＳＣＨのパワーを算出及び変調方式と符号化率を決定し、ＨＳ−ＰＤＳＣＨのパワーを残りパワー算出部１８及びＵＥ多重決定部１９に出力し、ＨＳ−ＰＤＳＣＨの変調方式と符号化率をＵＥ多重決定部１９に出力し、優先度が最も高いパケットのＨＳ−ＰＤＳＣＨのパワーがＨＳチャネルパワーリソース以内である情報をＵＥ多重決定部１９及びパワー算出処理制御部２５に出力する。
【００２２】
ＨＳ−ＰＤＳＣＨパワー算出部１７からＨＳ−ＰＤＳＣＨのパワーがＨＳチャネルパワーリソース以内である情報を受けた場合、パワー算出処理制御部２５は、残りパワー算出部１８から出力された残りのパワーＡからＨＳ−ＰＤＳＣＨのパワーを減算する指示を、残りパワー算出部１８に出力する。
【００２３】
残りパワー算出部１８は、パワー算出処理制御部２５から出力された残りのパワーＡから優先度が最も高いパケットのＨＳ−ＰＤＳＣＨのパワーを減算し、残りのパワーＢをＵＥ多重決定部１９及びパワー算出処理制御部２５に出力する。
【００２４】
優先度が最も高いパケットのＨＳ−ＰＤＳＣＨのパワーの算出の際、ＣＱＩ信号がＯｕｔ  ｏｆ  Ｒａｎｇｅ（ＯＯＲ）になる、すなわちＨＳ−ＰＤＳＣＨのパワーがパワー算出処理制御部２５から出力された残りのパワーＡを超える場合、ＨＳ−ＰＤＳＣＨパワー算出部１７は、優先度が最も高いパケットのＯＯＲ情報をＵＥ多重決定部１９に出力する。
【００２５】
ＨＳ−ＳＣＣＨパワー判定部１６から優先度が最も高いパケットのＨＳ−ＳＣＣＨのパワーとＨＳ−ＰＤＳＣＨのパワーの両方がＨＳチャネルパワーリソース以内である情報を受けた場合や、ＨＳ−ＳＣＣＨパワー判定部１６から優先度が最も高いパケットのＨＳ−ＳＣＣＨのパワーがＨＳチャネルパワーリソースを超えた情報を受けた場合や、ＨＳ−ＰＤＳＣＨパワー算出部１７から優先度が最も高いパケットのＯＯＲ情報を受けた場合、ＵＥ多重決定部１９は、優先度が２番目に高いパケットの処理を開始する指示を、ＨＳ−ＳＣＣＨパワー算出部１２とパワー算出処理制御部２５に出力する。
【００２６】
ＨＳ−ＳＣＣＨパワー算出部１２は、ＵＥ多重決定部１９から優先度が２番目に高いパケットのパワー算出処理を開始する指示を受けた場合、優先度が２番目に高いパケットのＨＳ−ＳＣＣＨのパワーを算出し、ＨＳ−ＳＣＣＨパワー判定部１６に出力する。
【００２７】
パワー算出処理制御部２５は、ＵＥ多重決定部１９から優先度が２番目に高いパケットのパワー算出処理を開始する指示を受けた場合、残りパワー算出部１８から出力された残りのパワーＢを、ＨＳ−ＳＣＣＨパワー判定部１６に出力する。
【００２８】
ＵＥ多重決定部１９は、残りパワー算出部１８から出力された残りのパワーがなくなるまで、優先度の高いパケットから順に上記処理を繰り返す。ＵＥ多重決定部１９は、残りパワー算出部１８から出力された残りのパワーがなくなったとき、パワー算出処理を中止する指示を、ＨＳ−ＳＣＣＨパワー算出部１２とパワー算出処理制御部２５に出力する。
【００２９】
ＨＳ−ＳＣＣＨパワー算出部１２は、ＵＥ多重決定部１９からパワー算出処理を中止する指示を受けた場合、ＨＳ−ＳＣＣＨのパワーの算出処理を中止する。
【００３０】
パワー算出処理制御部２５は、ＵＥ多重決定部１９からパワー算出処理を中止する指示を受けた場合、パワーの算出処理を中止する。
【００３１】
パワー算出処理が終了した場合、ＵＥ多重決定部１９は、ＨＳ−ＳＣＣＨのパワーとＨＳ−ＰＤＳＣＨのパワーの両方がＨＳチャネルパワーリソース以内である多重するパケットを送信フレーム作成部２０に出力する。また、ＵＥ多重決定部１９は、多重するパケットの変調方式と符号化率を送信フレーム作成部２０と変調部２２に出力する。また、ＵＥ多重決定部１９は、多重するパケットのＨＳ−ＳＣＣＨのパワーとＨＳ−ＰＤＳＣＨのパワーを送信無線部２１に送信する。ＨＳ−ＳＣＣＨのパワーがＨＳチャネルパワーリソースを超えたパケットや、ＯＯＲ情報を受けたパケットに対しては、何も出力しない。
【００３２】
送信フレーム作成部２０は、ＵＥ多重決定部１９の出力に従って、ＨＳ−ＳＣＣＨのパワーとＨＳ−ＰＤＳＣＨのパワーの両方がＨＳチャネルパワーリソース以内である多重するパケット毎に送信フレームを作成する。変調部２２は、ＵＥ多重決定部１９の出力に従って、多重するパケット毎に送信フレーム作成部２０から出力された送信フレームを変調する。拡散部２３は、変調部２２から出力された送信フレームを拡散する。
【００３３】
送信無線部２１は、ＵＥ多重決定部１９の出力に従って、多重するパケット毎に送信電力を決定し、同一タイムスロットで複数のパケットを多重し、所定の無線処理を施してアンテナ２４から出力する。
【００３４】
【特許文献１】
特開２００３−８５０４号公報
【００３５】
【発明が解決しようとする課題】
しかしながら、従来の装置では、パワーがなくなるまで、パケット送信に必要となるパワーの算出処理を優先度の高い順に逐次行うため、多くのパワーを必要とするパケットが優先度の高い順に連続した場合、優先度の高いパケットのパワーの算出処理を行った後、残りのパワーがほとんどなくても、次の優先度の高いパケットのパワーの算出処理をさらに行うので、多重が完了するまでに要する処理量が増大する問題がある。
【００３６】
また、パワーの算出回数や同一タイムスロットで多重するパケットの数に上限を設けた場合、処理量を抑えることはできるが、パワーが残っていてもパケットのパワーの算出処理を終了することになり、パワーリソースを効率的に使用することができない問題もある。
【００３７】
また、データ量に関係なく優先度の高いパケットから順にパワーを算出するので、一回の送信でパケットデータを完全に送り切ることが少なくなり、所定の時間内にパケットデータを送ることができずタイムアウトが多く発生する問題もある。
【００３８】
本発明はかかる点に鑑みてなされたものであり、同一タイムスロットで複数の通信装置にパケットを多重して無線で送信する装置において、グループ分けして所定の数のパケットを選択し、選択したパケットのみパワーの算出処理を行うため、少ない処理量で効率的にパワーリソースを使用することができる無線送信装置及び無線送信方法を提供することを目的とする。
【００３９】
【課題を解決するための手段】
本発明の無線送信装置は、所定の時間内に一または複数のパケットを多重して送信する無線送信装置であって、パケットを所定の通信レートの範囲別でグループ分けするグループ化手段と、パケットの優先度を計算する優先度計算手段と、各グループから所定の数のパケットを優先度の高い順に選択する選択手段と、前記選択手段によって選択されたパケットについて送信に必要となるパワーを算出するパワー算出手段と、選択されたパケットについて送信に必要なパワーの合計がパワーリソース以内であるパケットの組み合わせを決定する多重決定手段と、前記多重決定手段によって決定されたパケットを多重して送信する送信手段と、を具備する構成を採る。
【００４０】
この構成によれば、同一タイムスロットで複数の通信装置にパケットを多重して無線で送信する装置において、グループ分けして所定の数のパケットを選択し、選択したパケットのみパワーの算出処理を行うため、余分なパワーの算出処理を省き、多重が完了するまでに要する処理量を少なくすることができ、かつ効率的にパワーリソースを使用することができる。
【００４１】
本発明の無線送信装置は、前記パワー算出手段は、パケットの送信先である各通信装置との個別の通信に用いられる個別チャネルのパワーを算出する個別チャネルパワー算出手段と、前記通信装置共通の制御チャネルのパワーを算出する共通制御チャネルパワー算出手段と、全体のパワーリソースから前記個別チャネルのパワーと前記共通の制御チャネルのパワーを減算し、共有チャネルで利用できるパワーリソースを算出する共有チャネルパワーリソース算出手段と、を具備する構成を採る。
【００４２】
本発明の無線送信装置は、前記パワー算出手段は、前記選択手段によって選択されたパケットについて、優先度の高いパケットから順にパケット送信に必要となる共有チャネルのパワーを逐次算出する共有チャネルパワー算出手段を具備し、前記多重決定手段は、前記共有チャネルのパワーを優先度の高いパケットから順に加算して共有チャネルのパワーの総計を算出するパワー加算手段と、前記パワーの総計が前記共有チャネルのパワーリソースを越えた場合に前記共有チャネルパワー算出手段のパワー算出の中止を指示する判定手段と、前記パワーの総計が前記全体のパワーリソース以内であるパケットのみを前記送信手段に出力する出力手段と、を具備する構成を採る。
【００４３】
これらの構成によれば、グループ分けして所定の数のパケットを選択し、選択したパケットのみパワーの算出処理を逐次行うため、余分なパワーの算出処理を省き、多重が完了するまでに要する処理量を少なくすることができ、かつ効率的にパワーリソースを使用することができる。さらに一回の送信でパケットデータを完全に送り切ることが多くなり、タイムアウトの発生を少なくすることもできる。
【００４４】
本発明の無線送信装置は、前記パワー算出手段は、前記選択手段によって選択されたパケットについて、前記共有チャネルのパワーリソースに基づいてパケット毎に利用可能なパワーを予め算出し割り当てるパワー割り当て手段と、前記選択手段によって選択されたパケットについて、パケット送信に必要となる共有チャネルのパワーを算出する共有チャネルパワー算出手段と、を具備し、前記多重決定手段は、前記共有チャネルのパワーが前記割り当てられたパワー以内であるパケットのみを前記送信手段に出力する出力手段と、を具備する構成を採る。
【００４５】
本発明の無線送信装置は、前記パワー算出手段は、前記選択手段によって選択されたパケットについて、前記グループに基づいてパケット毎に利用可能なパワーを予め算出し割り当てるパワー割り当て手段と、前記パワー割り当て手段によって割り当てられたパワーを加算して割り当てられたパワーの総計を算出するパワー加算手段と、前記割り当てられたパワーの総計が前記共有チャネルのパワーリソース以内であるパケットについて、パケット送信に必要となる共有チャネルのパワーを算出する共有チャネルパワー算出手段と、を具備し、前記多重決定手段は、前記共有チャネルのパワーが前記割り当てられたパワー以内であるパケットのみを前記送信手段に出力する出力手段と、を具備する構成を採る。
【００４６】
本発明の無線送信装置は、前記パワー算出手段は、前記選択手段によって選択されたパケットについて、前記グループに基づいてパケット毎に利用可能なパワーリソースを算出するパワー割り当て手段と、前記選択手段によって選択されたパケットについて、パケット送信に必要となる共有チャネルのパワーを算出する共有チャネルパワー算出手段と、を具備し、前記多重決定手段は、前記共有チャネルのパワーが前記割り当てられたパワー以内であるパケットについて、前記共有チャネルのパワーを加算して共有チャネルのパワーの総計を算出するパワー加算手段と、前記パワーの総計が前記共有チャネルのパワーリソース以内であるパケットのみを前記送信手段に出力する出力手段と、を具備する構成を採る。
【００４７】
これらの構成によれば、グループ分けして所定の数のパケットを選択し、選択したパケットに絞ってパワーの算出処理を行うだけでなく、パケット毎に利用可能なパワーを予め算出し割り当て、共有チャネルのパワーが、割り当てられたパワー以内であるパケットを送信するため、残りのパワーを算出する必要がなくなり、多重が完了するまでに要する処理量をさらに少なくすることができる。さらに、パワー算出を並列処理で行うこともできる。
【００４８】
本発明の無線送信装置は、前記グループ化手段は、所定の時間内においてパケットの送信先である通信装置に送信するデータの蓄積量、またはデータ伝送サービスの種類のいずれか一つまたは複数からパケットの通信レートを算出するレート算出手段と、前記通信レートを所定の通信レートの範囲別で区分して前記パケットをグループ分けするグループ分け手段と、を具備する構成を採る。
【００４９】
本発明の無線送信装置は、前記選択手段は、通信レートの低いグループで選択するパケットの数を通信レートの高いグループが選択するパケットの数より多くする構成を採る。
【００５０】
これらの構成によれば、通信レートの高いグループは多くのパワーを必要とするので選択するパケットの数を少なくし、通信レートの低いグループは少しのパワーしか必要としないので選択するパケットの数を多くするため、通信レートに応じて選択するパケットの数を最適化することができ、多重が完了するまでに要する処理量を少なくすることができる。
【００５１】
本発明の無線送信装置は、前記送信手段は、パワー算出の過程で全体のパワーリソースを越えた場合、または前記選択手段によって選択されたパケットのパワーを全て算出した場合に、前記多重決定手段によって決定されたパケットに残るパワーを上乗せして送信する構成を採る。
【００５２】
本発明の無線送信装置は、前記送信手段は、前記共有チャネルパワー算出手段によって算出された共有チャネルのパワーが前記パワー割り当て手段によって割り当てられたパワー以内である場合、前記割り当てられたパワー全てを使ってパケットを送信する構成を採る。
【００５３】
これらの構成によれば、残るパワーを全て使って送信するため、パケットの送信先である通信装置においてより良い受信品質を得ることができ、再送を削減することができ、システム全体の効率を上げることができる。
【００５４】
本発明の無線送信装置は、前記判定手段は、前記パワー加算手段によって加算されたパワーの総計が前記共有チャネルパワー算出手段によって算出された共有チャネルのパワーリソースと等しくなった場合または所定の値以上になった場合に、前記共有チャネルパワー算出手段のパワー算出の中止を指示する構成を採る。
【００５５】
この構成によれば、パケットのパワーを算出しても共有チャネルのパワーリソースを超えてしまうほど残りのパワーが少なくなった時点でパワーの算出処理を中止するため、余分なパワーの算出処理を省くことができ、多重が完了するまでに要する処理量を少なくすることができる。
【００５６】
本発明の無線送信装置は、前記個別チャネルパワー算出手段は、パケットの送信先である各通信装置との個別の通信に用いられる個別チャネルのパワーを予め定めた値とする構成を採る。
【００５７】
本発明の無線送信装置は、前記共通制御チャネルパワー算出手段は、パケットの送信先である通信装置共通の制御チャネルのパワーを予め定めた値とする構成を採る。
【００５８】
これらの構成によれば、個別チャネルのパワーと共通の制御チャネルのパワーを予め定めた値にするため、個別チャネルのパワーと共通の制御チャネルのパワーを算出する必要がなく、処理量をより少なくすることができる。
【００５９】
本発明の無線送信装置は、前記個別チャネルパワー算出手段は、パケットの送信先である各通信装置との個別の通信に用いられる個別チャネルの数が少ない場合より多い場合に、個別チャネルのパワーの予め定めた値を大きくする構成を採る。
【００６０】
この構成によれば、個別チャネルの数が多いときはパワーを多く必要とするため、個別チャネルのパワーの予め定めた値を大きくすることで処理量をより少なくすることができ、かつ効率的にパワーリソースを使用することができる。
【００６１】
本発明の無線送信装置は、前記個別チャネルパワー算出手段は、パケットの送信先である各通信装置から無線送信装置への送信電力を上げる要求が少ない場合より多い場合に、個別チャネルのパワーの予め定めた値を大きくする構成を採る。
【００６２】
この構成によれば、送信電力を上げる要求が多いときは通信装置の受信品質が悪いのでパワーを多く必要とするため、個別チャネルのパワーの予め定めた値を大きくすることで処理量をより少なくすることができ、かつ効率的にパワーリソースを使用することができる。
【００６３】
本発明の基地局装置は、上記いずれかに記載の無線送信装置を有する構成を採る。
【００６４】
この構成によれば、上記と同様の作用効果を有する基地局装置を提供することができる。
【００６５】
本発明の通信端末装置は、上記いずれかに記載の無線送信装置を有する構成を採る。
【００６６】
この構成によれば、上記と同様の作用効果を有する通信端末装置を提供することができる。
【００６７】
本発明の無線送信方法は、所定の時間内に一または複数のパケットを多重して送信する無線送信方法であって、パケットを所定の通信レートの範囲別でグループ分けし、パケットの優先度を計算し、各グループから所定の数のパケットを優先度の高い順に選択し、選択されたパケットについて送信に必要となるパワーを算出し、選択されたパケットについて送信に必要なパワーの合計がパワーリソース以内であるパケットの組み合わせを決定し、決定されたパケットを多重して送信するようにした。
【００６８】
この方法によれば、同一タイムスロット複数の通信装置にパケットを多重して無線で送信する通信方法において、グループ分けして所定の数のパケットを選択し、選択したパケットのみパワーの算出処理を行うため、余分なパワーの算出処理を省き、多重が完了するまでに要する処理量を少なくすることができ、かつ効率的にパワーリソースを使用することができる。
【００６９】
本発明の無線送信プログラムは、所定の時間内に一または複数のパケットを多重して送信する無線送信プログラムであって、パケットを所定の通信レートの範囲別でグループ分けするグループ化ステップと、パケットの優先度を計算する優先度計算ステップと、各グループから所定の数のパケットを優先度の高い順に選択する選択ステップと、前記選択ステップによって選択されたパケットについて送信に必要となるパワーを算出するパワー算出ステップと、選択されたパケットについて送信に必要なパワーの合計がパワーリソース以内であるパケットの組み合わせを決定する多重決定ステップと、前記多重決定ステップによって決定されたパケットを多重して送信する送信ステップと、をコンピュータに実行させる構成を採る。
【００７０】
このプログラムによれば、同一タイムスロットで複数の通信装置にパケットを多重して無線で送信するプログラムにおいて、グループ分けして所定の数のパケットを選択し、選択したパケットのみパワーの算出処理を行うため、余分なパワーの算出処理を省き、多重が完了するまでに要する処理量を少なくすることができ、かつ効率的にパワーリソースを使用することができる。
【００７１】
【発明の実施の形態】
本発明の骨子は、同一タイムスロットで複数の通信装置にパケットを多重して無線で送信する装置において、パケットを通信レートでグループ分けし、パケットの優先度を計算し、各グループから所定の数のパケットを優先度の高い順に選択し、選択したパケットのみパワーの算出処理を逐次行うことにより、余分なパワーの算出処理を省き、多重が完了するまでに要する処理量を少なくし、かつ効率的にパワーリソースを使用することである。さらに一回の送信でパケットデータを完全に送り切ることを多くし、タイムアウトの発生を少なくすることである。
【００７２】
また、本発明の骨子は、同一タイムスロットで複数の通信装置にパケットを多重して無線で送信する装置において、パケットを通信レートでグループ分けし、パケットの優先度を計算し、各グループから所定の数のパケットを優先度の高い順に選択し、選択したパケットに絞ってパワーの算出処理を行うだけでなく、パケット毎に利用可能なパワーを予め算出し割り当て、共有チャネルのパワーが、割り当てられたパワー以内であるパケットを送信することにより、残りのパワーを算出する必要をなくし、多重が完了するまでに要する処理量をさらに少なくすることである。さらに、パワー算出を並列処理で行うことである。
【００７３】
以下、本発明の実施の形態について、添付図面を参照して詳細に説明する。なお、以下の説明では、無線送信装置を基地局装置、パケットの送信先である通信装置を通信端末装置とする。また、高速パケット伝送方式の例として、同一タイムスロットで複数のパケットをコード多重して、基地局装置から通信端末装置へ高速パケット伝送するＨＳＤＰＡ（Ｈｉｇｈ  Ｓｐｅｅｄ  Ｄｏｗｎｌｉｎｋ  Ｐａｃｋｅｔ  Ａｃｃｅｓｓ）を用いることとする。ＨＳＤＰＡでは、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）、ＨＳ−ＳＣＣＨ（Ｓｈａｒｅｄ  Ｃｏｎｔｒｏｌ  Ｃｈａｎｎｅｌ  ｆｏｒ  ＨＳ−ＤＳＣＨ）、Ａｓｓｏｃｉａｔｅｄ  ＤＰＣＨ（Ｄｅｄｉｃａｔｅｄ  Ｐｈｙｓｉｃａｌ  Ｃｈａｎｎｅｌ）等の複数のチャネルが用いられる。
【００７４】
ＨＳ−ＰＤＳＣＨは、パケットの伝送に使用される下り方向の共有チャネルでる。ＨＳ−ＳＣＣＨは、下り方向の共有制御チャネルであり、リソース割り当てに関する情報（ＴＦＲＩ：Ｔｒａｎｓｐｏｒｔ−ｆｏｒｍａｔ  ａｎｄ  Ｒｅｓｏｕｒｃｅ  ｒｅｌａｔｅｄ  Ｉｎｆｏｒｍａｔｉｏｎ）、Ｈ−ＡＲＱ制御に関する情報等が伝送される。
【００７５】
Ａｓｓｏｃｉａｔｅｄ  ＤＰＣＨは、上り方向及び下り方向の個別付随チャネルであり、そのチャネル構成やハンドオーバ制御等はＤＰＣＨと変わらない。Ａｓｓｏｃｉａｔｅｄ  ＤＰＣＨでは、パイロット信号、ＴＰＣコマンド等が伝送され、上り方向では、これらに加えてＡＣＫ／ＮＡＣＫ信号、ＣＱＩ（Ｃｈａｎｎｅｌ  Ｑｕａｌｉｔｙ  Ｉｎｄｉｃａｔｏｒ）信号が伝達される。なお、ＣＱＩ信号は、通信端末装置において復調可能なパケットデータの変調方式及び符号化率を示す信号であり、下り回線状態を報告する報告値の役割を果たす。
【００７６】
（実施の形態１）
図１は、本発明の実施の形態１に係る基地局装置の構成を示すブロック図である。以下、図１の基地局装置１００の各構成部分の作用について説明する。
【００７７】
図１において、基地局装置１００は、アンテナ１０１と、共用器（Ｄｕｐ）１０２と、受信ＲＦ部１０３と、復調部１０４と、分離部１０５と、ＳＩＲ測定部１０６と、ＴＰＣコマンド生成部１０７と、グループ作成部１５０と、スケジューラ部１５１と、バッファ１５２と、変調部１５３と、送信電力制御部１５４と、増幅部１５５と、多重部（ＭＵＸ）１５６と、変調部１５７と、送信電力制御部１５８と、増幅部１５９と、送信電力制御部１６０と、増幅部１６１と、変調部１６２と、送信電力制御部１６３と、増幅部１６４と、多重部（ＭＵＸ）１６５と、送信ＲＦ部１６６と、変調部１６７から主に構成される。
【００７８】
基地局装置１００は、パケットの送信先の通信端末装置の数のバッファ１５２、変調部１５３、送信電力制御部１５４、増幅部１５５、多重部１５６、変調部１５７、送信電力制御部１５８、増幅部１５９、送信電力制御部１６０、増幅部１６１、及び変調部１６７を備える。
【００７９】
共用器１０２は、アンテナ１０１に受信された信号を受信ＲＦ部１０３に出力する。また、共用器１０２は、送信ＲＦ部１６６から出力された信号をアンテナ１０１から無線送信する。
【００８０】
受信ＲＦ部１０３は、共用器１０２から出力された無線周波数の受信信号をベースバンドのディジタル信号に変換し、復調部１０４に出力する。
【００８１】
復調部１０４は、無線通信を行う通信端末装置の数だけ用意され、受信ベースバンド信号に対して逆拡散、ＲＡＫＥ合成、誤り訂正復号等の復調処理を行い、分離部１０５に出力する。
【００８２】
分離部１０５は、無線通信を行う通信端末装置の数だけ用意され、復調部１０４の出力信号をデータと制御信号とに分離する。分離部１０５にて分離された制御信号には、ＤＬ（Ｄｏｗｎ  Ｌｉｎｋ）用ＴＰＣ（Ｔｒａｎｓｍｉｔ  Ｐｏｗｅｒ  Ｃｏｎｔｒｏｌ）コマンド、ＣＱＩ信号、ＡＣＫ／ＮＡＣＫ信号等が含まれる。ＣＱＩ信号及びＡＣＫ／ＮＡＣＫ信号はスケジューラ部１５１に出力され、ＤＬ用ＴＰＣコマンドは送信電力制御部１５８に出力される。
【００８３】
ＳＩＲ測定部１０６は、無線通信を行う通信端末装置の数だけ用意され、復調の過程で測定される希望波レベル及び干渉波レベルによって上り回線の受信ＳＩＲを測定し、ＳＩＲを示す信号をＴＰＣコマンド生成部１０７に出力する。
【００８４】
ＴＰＣコマンド生成部１０７は、無線通信を行う通信端末装置の数だけ用意され、上り回線の受信ＳＩＲと目標ＳＩＲとの大小関係により、上り回線の送信電力の増減を指示するＵＬ（Ｕｐ  Ｌｉｎｋ）用ＴＰＣコマンドを生成する。
【００８５】
バッファ（Ｑｕｅｕｅ）１５２は、無線通信を行う通信端末装置の数だけ用意され、通信端末装置宛に送信する一つまたは複数のパケットをサービスやデータ量毎に振り分け、保持する。
【００８６】
本願発明の特徴部分であるグループ作成部１５０は、バッファ１５２に保持されたパケット、すなわち所定の時間内において通信端末装置に送信するデータの蓄積量、またはデータ伝送サービスの種類のいずれか一つまたは複数からパケットの通信レートを算出し、この通信レートの大きさ別にバッファ１５２に保持されたパケットをグループ分けする。
【００８７】
スケジューラ部１５１は、全ての通信端末装置におけるバッファ１５２に保持されたパケット全てに対して、各通信端末装置からのＣＱＩ信号、ＡＣＫ／ＮＡＣＫ信号、スループット、または許容遅延時間等に基づいて優先度計算を行う。行い、優先度が最も高いパケットの送信先である通信端末装置（以下、「送信先装置」という）を決定する。スケジューラ部１５１は、各グループから所定の数のパケットを優先度の高い順に選択する。選択方法の詳細については後述する。
【００８８】
スケジューラ部１５１は、選択されたパケットに対して、パケット送信に必要となるパワーを算出し、全体のパワーリソース以内であるパケットを一または複数決定し、パケットデータを示す情報をバッファ１５２に出力する。パワーの算出方法の詳細については後述する。また、スケジューラ部１５１は、パケットの送信先である通信端末装置（以下、「送信先装置」という）のＣＱＩ信号等に基づいてＭＣＳ（変調方式及び符号化率）を決定し、変調部１５３に指示する。また、スケジューラ部１５１は、送信先装置からのＣＱＩ信号等に基づいてＨＳ−ＰＤＳＣＨの送信電力を決定し、送信電力を示す信号を送信電力制御部１５４に出力する。また、スケジューラ部１５１は、ＨＳ−ＳＣＣＨによって送信先装置に送信する信号（以下、「ＨＳ−ＳＣＣＨ用信号」という）を変調部１６７に出力する。ＨＳ−ＳＣＣＨ用信号には、パケットデータを送信するタイミング、パケットデータの符号化率及び変調方式等を示す情報（ＴＦＲＩ）が含まれる。また、スケジューラ部１５１は、ＤＰＣＨの送信電力値とオフセット等に基づいてＨＳ−ＳＣＣＨの送信電力を決定し、送信電力を示す信号を送信電力制御部１６０に出力する。なお、スケジューラ部１５１の内部構成については後述する。
【００８９】
バッファ１５２は、スケジューラ部１５１に指示されたパケットデータを変調部１５３に出力する。
【００９０】
変調部１５３は、無線通信を行う通信端末装置の数だけ用意され、スケジューラ部１５１の指示に従ってパケットデータに対して誤り訂正符号化、変調及び拡散を行って増幅部１５５に出力する。
【００９１】
送信電力制御部１５４は、無線通信を行う通信端末装置の数だけ用意され、増幅部１５５の増幅量を制御することにより、変調部１５３の出力信号の送信電力をスケジューラ部１５１で決定された値となるように制御する。増幅部１５５の出力信号は、ＨＳ−ＰＤＳＣＨで送信される信号であって、同一タイムスロットで複数の送信先装置にパケットをコード多重化される。増幅部１５５の出力信号は、多重部１６５に出力される。
【００９２】
多重部１５６は、無線通信を行う通信端末装置の数だけ用意され、各通信端末装置に送信する個別データ（制御信号も含む）にパイロット信号及びＵＬ用ＴＰＣコマンドを多重して変調部１５７に出力する。
【００９３】
変調部１５７は、無線通信を行う通信端末装置の数だけ用意され、多重部１５６の出力信号に対して誤り訂正符号化、変調及び拡散を行って増幅部１５９に出力する。
【００９４】
送信電力制御部１５８は、無線通信を行う通信端末装置の数だけ用意され、ＤＬ用ＴＰＣコマンドに従って増幅部１５９の増幅量を制御することにより、変調部１５７の出力信号の送信電力を制御する。また、送信電力制御部１５８は、送信電力値を示す信号をスケジューラ部１５１に出力する。増幅部１５９にて増幅された信号は、ＤＰＣＨ（Ａｓｓｏｃｉａｔｅｄ  ＤＰＣＨを含む）で送信される信号であって、多重部１６５に出力される。
【００９５】
変調部１６７は、無線通信を行う通信端末装置の数だけ用意され、スケジューラ部１５１から出力されたＨＳ−ＳＣＣＨ用信号に対して誤り訂正符号化、変調及び拡散を行って増幅部１６１に出力する。
【００９６】
送信電力制御部１６０は、無線通信を行う通信端末装置の数だけ用意され、増幅部１６１の増幅量を制御することにより、変調部１６７から出力されたＨＳ−ＳＣＣＨ用信号の送信電力をスケジューラ部１５１で決定された値となるように制御する。増幅部１６１にて増幅された信号は、ＨＳ−ＳＣＣＨで送信される信号であって、多重部１６５に出力される。
【００９７】
変調部１６２は、通信端末装置共通の制御チャネル（共通チャネルと呼ぶ）データに対して誤り訂正符号化、変調及び拡散を行って増幅部１６４に出力する。送信電力制御部１６３は、増幅部１６４の増幅量を制御することにより、変調部１６２の出力信号の送信電力を制御する。また、送信電力制御部１６３は、送信電力値を示す信号をスケジューラ部１５１に出力する。増幅部１６４の出力信号は、ＣＰＩＣＨ（Ｃｏｍｍｏｎ  Ｐｉｌｏｔ  Ｃｈａｎｎｅｌ）やＣＣＰＣＨ（Ｃｏｍｍｏｎ  Ｃｏｎｔｒｏｌ  Ｐｈｙｓｉｃａｌ  Ｃｈａｎｎｅｌ）やＳＣＨ（Ｓｙｎｃｈｒｏｎｉｓａｔｉｏｎ  Ｃｈａｎｎｅｌ）やＰＩＣＨ（Ｐａｇｅ  Ｉｎｄｉｃａｔｏｒ  Ｃｈａｎｎｅｌ）やＡＩＣＨ（Ａｃｑｕｉｓｉｔｉｏｎ  Ｉｎｄｉｃａｔｏｒ  Ｃｈａｎｎｅｌ）等の共通チャネルであって、多重部１６５に出力される。
【００９８】
多重部１６５は、増幅部１５５、増幅部１５９、増幅部１６１及び増幅部１６４の各出力信号を多重し、送信ＲＦ部１６６に出力する。
【００９９】
送信ＲＦ部１６６は、多重部１６５から出力されたベースバンドのディジタル信号を無線周波数の信号に変換して共用器１０２に出力する。
【０１００】
上記構成により、本発明の基地局装置１００は、パケットを各通信端末装置に送信する。次に、グループ作成部１５０の詳細について説明する。図２は、本実施の形態の基地局装置のグループ作成部の構成を示す図である。図２において、グループ作成部１５０は、レート算出部２０１と、グループ分け部２０２とから主に構成される。
【０１０１】
レート算出部２０１は、所定の時間内において通信端末装置に送信するデータの蓄積量、またはデータ伝送サービスの種類のいずれか一つまたは複数からバッファに保持されたパケットの通信レートを算出してグループ分け部２０２に出力する。
【０１０２】
グループ分け部２０２は、レート算出部２０１で算出された通信レートを所定の通信レートの範囲別で区分してバッファに保持されたパケットをグループ分けする。
【０１０３】
このようにグループ作成部でグループ分けした結果を用いて、スケジューラ部１５１は、ＨＳ−ＰＤＳＣＨ及びＨＳ−ＳＣＣＨで占有するパワーを算出するパケットを選択する。以下、基地局装置１００のスケジューラ部１５１の内部構成について図３を用いて説明する。図３は、本実施の形態の基地局装置のスケジューラ部の構成を示すブロック図である。
【０１０４】
図１のスケジューラ部１５１は、優先度計算部４０１と、選択ＵＥ決定部４０２と、Ａ−ＤＰＣＨパワー算出部４０３と、共通チャネルパワー算出部４０４と、ＨＳチャネルパワーリソース算出部４０５と、ＨＳ−ＳＣＣＨパワー算出部４０６と、ＨＳ−ＳＣＣＨパワー判定部４０７と、ＨＳ−ＰＤＳＣＨパワー算出部４０８と、残りパワー算出部４０９と、パワー算出処理制御部４１０と、ＵＥ多重決定部４１１とから主に構成される。
【０１０５】
優先度計算部４０１は、各通信端末装置からのＣＱＩ、ＡＣＫ／ＮＡＣＫ、スループット、または許容遅延時間等から通信の優先度を計算して選択ＵＥ決定部４０２に出力する。
【０１０６】
選択ＵＥ決定部４０２は、優先度計算部４０１における優先度計算の結果及びグループ作成部１５０におけるグループ分け情報より、優先度が最も高いパケットが属するグループを決定する。選択ＵＥ決定部４０２は、優先度が最も高いパケットが属するグループから優先度の高い順に所定の数のパケット（ＵＥ）を選択する。選択するパケットの数はグループにより異なる。すなわち、通信レートの高いグループは、多くのパワーを必要とするので、選択するパケットの数を少なくする。また、通信レートの低いグループは少ないパワーしか必要としないので、選択するパケットの数を多くする。これにより、通信レートに応じて選択するパケットの数を最適化することができ、多重が完了するまでに要する処理量を少なくすることができる。
【０１０７】
選択ＵＥ決定部４０２は、グループ別に所定の数のパケットを選択する。例えば、通信レートの高い順にグループを３個に分けるとして、優先度が最も高いパケットが、通信レートが最も高いグループ１に属する場合、優先度の高い順にグループ１に属するパケットを１個、すなわち優先度が最も高いパケットのみを選択する。また、優先度が最も高いパケットが、通信レートが最も低いグループ３に属する場合、優先度の高い順にグループ３に属するパケットを４個選択する。
【０１０８】
なお、選択ＵＥ決定部４０２が選択するパケットは、複数のグループにまたがってもよい。例えば、優先度が最も高いパケットがグループ３に属する場合、優先度の高い順にグループ３に属するパケットを２つ、他のグループであるグループ２から優先度の高い順にパケットを１個選択してもよい。
【０１０９】
また、選択ＵＥ決定部４０２が選択するパケットは、優先度計算の結果から優先度の高いパケットが選択されるように、グループ別に所定の数を設定してもよい。例えば、優先度が最も高いパケットがグループ２に属する場合、優先度が２番目に高いパケットがグループ２に属するときは優先度の高い順にグループ２に属するパケットを２つ、優先度が２番目に高いパケットがグループ３に属するときは優先度の高い順にグループ２に属するパケットを１個と優先度の高い順にグループ３に属するパケットを２つ選択する。
【０１１０】
また、選択ＵＥ決定部４０２が選択するパケットは、優先度が最も高いパケット以外は、通信レートが最も低いグループから優先度の高い順に所定の数のパケットを選択してもよい。
【０１１１】
また、選択ＵＥ決定部４０２が選択するパケットは、優先度が最も高いパケットを必ずしも選択せず、通信レートが低いグループから優先度の高い順に所定の数のパケットを選択してもよい。
【０１１２】
また、選択ＵＥ決定部４０２において、パワー算出処理を行うパケットの数を選択する際、予めＨＳＤＰＡチャネルに利用できるパワーリソースを算出して、そのパワーリソースに基づいて、グループから選択するパケットの数を決定してもよい。
【０１１３】
例えば、選択ＵＥ決定部４０２で通信レートが最も低いグループ３に属するパケットが４個選択されたとする。ＨＳＤＰＡチャネルに利用できるパワーリソースを算出した結果、そのパワーリソースがグループ３に属するパケットの３個分しかなかった場合は、グループ３に属するパケットを４個選択しても、４番目のパケットのパワーを算出できずに余分なパワーの算出処理になってしまう可能性が高いので、グループ３に属するパケットを３個しか選択しない。また、パワーリソースがグループ３に属するパケットの５個分あった場合は、グループ３に属するパケットを４個選択すると、グループ３に属するパケット１個分のパワーリソースが余ってしまうので、グループ３に属するパケットを５個選択、あるいはグループ３に属するパケットを３個及び通信レートが２番目に高いグループ２に属するパケットを１個選択する。
【０１１４】
これにより、実際にパワーを算出したときに、ＨＳＤＰＡチャネルに利用できるパワーリソース以内にする、またはパワーリソースを多く残さないために、グループ化の結果だけで選択するパケットを決定するのではなく、ＨＳＤＰＡチャネルに利用できるパワーリソースを考慮して、グループから選択するパケットの数を最適化するので、余分なパワーの算出処理を省き、多重が完了するまでに要する処理量を少なくすることができ、かつ効率的にパワーリソースを使用することができる。
【０１１５】
また、選択ＵＥ決定部４０２において、パワー算出処理を行うパケットの数を選択する際、多重が完了するまでに要する処理量に基づいて、グループから選択するパケットの数を決定してもよい。
【０１１６】
例えば、多重が完了するまでに要する処理量を考慮してパワーの算出処理を行うパケットの数を３に制限するとする。優先度が１番目、２番目、３番目に高いパケットは通信レートが最も低いグループ３、優先度が４番目に高いパケットは通信レートが２番目に高いグループ２に属する場合、グループ分けしないで優先度の高い順にパワーの算出処理を行うと、優先度が１番目、２番目、３番目に高いパケットについては、パケット送信に必要となるパワーがあるが、通信レートが低いためパワーリソースに残りが生じる。一方、グループ分けして優先度が１番目、２番目、４番目に高いパケットを選択してパワーの算出処理を行うと、全てのパケットについてパケット送信に必要となるパワーがあり、かつパワーリソースに残りが生じない。
【０１１７】
これにより、多重が完了するまでに要する処理量によって多重するパケットの数を制限し、制限内でグループから選択するパケットの数を最適化するため、効率的にパワーリソースを使用することができる。
【０１１８】
選択ＵＥ決定部４０２は、選択したパケットと選択したパケットのＣＱＩ信号等をＨＳ−ＳＣＣＨパワー算出部４０６に出力する。
【０１１９】
Ａ−ＤＰＣＨパワー算出部４０３は、送信電力制御部１５８からの送信電力値を示す信号に基づいて、Ａｓｓｏｃｉａｔｅｄ  ＤＰＣＨの全パワーを算出してＨＳチャネルパワーリソース算出部４０５に出力する。共通チャネルパワー算出部４０４は、送信電力制御部１６３からの送信電力値を示す信号に基づいて、共通チャネルのパワーを算出してＨＳチャネルパワーリソース算出部４０５に出力する。ここで、共通チャネルとは、ＣＰＩＣＨやＣＣＰＣＨやＳＣＨやＰＩＣＨやＡＩＣＨ等を指す。
【０１２０】
ＨＳチャネルパワーリソース算出部４０５は、利用可能なパワーリソースからＡ−ＤＰＣＨパワー算出部４０３で算出したＡｓｓｏｃｉａｔｅｄ  ＤＰＣＨの全パワーと共通チャネルパワー算出部４０４で算出した共通チャネルのパワーとを減算してＨＳＤＰＡチャネルに利用できるパワーリソース（ＨＳチャネルパワーリソースと呼ぶ）を算出し、パワー算出処理制御部４１０に出力する。
【０１２１】
ＨＳ−ＳＣＣＨパワー算出部４０６は、１回目のパワー算出処理の場合、選択ＵＥ決定部４０２で選択したパケットの中で優先度が最も高いパケットのＨＳ−ＳＣＣＨのパワーを算出し、ＨＳ−ＳＣＣＨパワー判定部４０７に出力する。
【０１２２】
パワー算出処理制御部４１０は、１回目のパワー算出処理の場合、ＨＳチャネルパワーリソース算出部４０５で算出したＨＳチャネルパワーリソースを、ＨＳ−ＳＣＣＨパワー判定部４０７に出力する。
【０１２３】
ＨＳ−ＳＣＣＨパワー判定部４０７は、ＨＳ−ＳＣＣＨパワー算出部４０６で算出した優先度が最も高いパケットのＨＳ−ＳＣＣＨのパワーが、パワー算出処理制御部４１０から出力されたＨＳチャネルパワーリソース以内であるか否か判定する。ＨＳ−ＳＣＣＨのパワーがＨＳチャネルパワーリソース以内である場合、ＨＳ−ＳＣＣＨパワー判定部４０７は、ＨＳ−ＳＣＣＨのパワーを残りパワー算出部４０９及びＵＥ多重決定部４１１に出力し、優先度が最も高いパケットのＨＳ−ＳＣＣＨのパワーがＨＳチャネルパワーリソース以内である情報をＨＳ−ＰＤＳＣＨパワー算出部４０８、ＵＥ多重決定部４１１及びパワー算出処理制御部４１０に出力する。
【０１２４】
ＨＳ−ＳＣＣＨパワー判定部４０７からＨＳ−ＳＣＣＨのパワーがＨＳチャネルパワーリソース以内である情報を受けた場合、パワー算出処理制御部４１０は、１回目のパワー算出処理の場合、ＨＳチャネルパワーリソース算出部４０５で算出したＨＳチャネルパワーリソースからＨＳ−ＳＣＣＨのパワーを減算する指示を、残りパワー算出部４０９に出力する。
【０１２５】
残りパワー算出部４０９は、パワー算出処理制御部４１０から出力されたＨＳチャネルパワーリソースから優先度が最も高いパケットのＨＳ−ＳＣＣＨのパワーを減算し、残りのパワーＡをパワー算出処理制御部４１０に出力する。
【０１２６】
ＨＳ−ＳＣＣＨパワー算出部４０６で算出したＨＳ−ＳＣＣＨのパワーが、パワー算出処理制御部４１０から出力されたＨＳチャネルパワーリソースを越えていた場合、ＨＳ−ＳＣＣＨパワー判定部４０７は、優先度が最も高いパケットのＨＳ−ＳＣＣＨのパワーがＨＳチャネルパワーリソースを超えた情報を、ＵＥ多重決定部４１１に出力する。
【０１２７】
ＨＳ−ＳＣＣＨパワー判定部４０７からＨＳ−ＳＣＣＨのパワーがＨＳチャネルパワーリソース以内である情報を受けた場合、パワー算出処理制御部４１０は、ＨＳ−ＰＤＳＣＨのパワーを算出する指示を、ＨＳ−ＰＤＳＣＨパワー算出部４０８に出力する。また、パワー算出処理制御部４１０は、残りパワー算出部４０９から出力された残りのパワーＡを、ＨＳ−ＰＤＳＣＨパワー算出部４０８に出力する。
【０１２８】
ＨＳ−ＰＤＳＣＨパワー算出部４０８は、選択ＵＥ決定部４０２で選択したパケットの中で優先度が最も高いパケットに対応したＣＱＩ信号と、パワー算出処理制御部４１０から出力された残りのパワーＡ等から、選択ＵＥ決定部４０２で選択したパケットの中で優先度が最も高いパケットのＨＳ−ＰＤＳＣＨのパワーを算出及び変調方式と符号化率を決定し、ＨＳ−ＰＤＳＣＨのパワーを残りパワー算出部４０９及びＵＥ多重決定部４１１に出力し、ＨＳ−ＰＤＳＣＨの変調方式と符号化率をＵＥ多重決定部４１１に出力し、優先度が最も高いパケットのＨＳ−ＰＤＳＣＨのパワーがＨＳチャネルパワーリソース以内である情報をＵＥ多重決定部４１１及びパワー算出処理制御部４１０に出力する。
【０１２９】
ＨＳ−ＰＤＳＣＨパワー算出部４０８からＨＳ−ＰＤＳＣＨのパワーがＨＳチャネルパワーリソース以内である情報を受けた場合、パワー算出処理制御部４１０は、残りパワー算出部４０９から出力された残りのパワーＡからＨＳ−ＰＤＳＣＨのパワーを減算する指示を、残りパワー算出部４０９に出力する。
【０１３０】
残りパワー算出部４０９は、パワー算出処理制御部４１０から出力された残りのパワーＡから優先度が最も高いパケットのＨＳ−ＰＤＳＣＨのパワーを減算し、残りのパワーＢをパワー算出処理制御部４１０に出力する。
【０１３１】
優先度が最も高いパケットのＨＳ−ＰＤＳＣＨのパワーの算出の際、ＣＱＩ信号がＯｕｔ  ｏｆ  Ｒａｎｇｅ（ＯＯＲ）になる、すなわちＨＳ−ＰＤＳＣＨのパワーが残りパワー算出部４０９から出力された残りのパワーＡを超える場合、ＨＳ−ＰＤＳＣＨパワー算出部４０８は、優先度が最も高いパケットのＯＯＲ情報をＵＥ多重決定部４１１に出力する。
【０１３２】
ＨＳ−ＳＣＣＨパワー判定部４０７から優先度が最も高いパケットのＨＳ−ＳＣＣＨのパワーとＨＳ−ＰＤＳＣＨのパワーの両方がＨＳチャネルパワーリソース以内である情報を受けた場合、ＵＥ多重決定部４１１は、選択ＵＥ決定部４０２で選択したパケットの中で優先度が２番目に高いパケットの処理を開始する指示を、ＨＳ−ＳＣＣＨパワー算出部４０６とパワー算出処理制御部４１０に出力する。
【０１３３】
ＨＳ−ＳＣＣＨパワー算出部４０６は、ＵＥ多重決定部４１１から優先度が２番目に高いパケットのパワー算出処理を開始する指示を受けた場合、選択ＵＥ決定部４０２で選択したパケットの中で優先度が２番目に高いパケットのＨＳ−ＳＣＣＨのパワーを算出し、ＨＳ−ＳＣＣＨパワー判定部４０７に出力する。
【０１３４】
パワー算出処理制御部４１０は、ＵＥ多重決定部４１１から優先度が２番目に高いパケットのパワー算出処理を開始する指示を受けた場合、残りパワー算出部４０９から出力された残りのパワーＢを、ＨＳ−ＳＣＣＨパワー判定部４０７に出力する。
【０１３５】
ＵＥ多重決定部４１１は、ＨＳ−ＳＣＣＨのパワーとＨＳ−ＰＤＳＣＨのパワーの両方がＨＳチャネルパワーリソース以内であるパケットの数が選択ＵＥ決定部４０２で選択したパケットの数に達するまで、優先度の高いパケットから順に上記処理を繰り返す。ＵＥ多重決定部４１１は、ＨＳ−ＳＣＣＨのパワーとＨＳ−ＰＤＳＣＨのパワーの両方がＨＳチャネルパワーリソース以内であるパケットの数が選択ＵＥ決定部４０２で選択したパケットの数に達したとき、パワー算出処理を中止する指示を、ＨＳ−ＳＣＣＨパワー算出部４０６とパワー算出処理制御部４１０に出力する。また、ＨＳ−ＳＣＣＨパワー判定部４０７からＨＳ−ＳＣＣＨのパワーがＨＳチャネルパワーリソースを超えた情報を受けた場合や、ＨＳ−ＰＤＳＣＨパワー算出部４０８からＯＯＲ情報を受けた場合は、ＵＥ多重決定部４１１は、パワー算出処理を中止する指示を、ＨＳ−ＳＣＣＨパワー算出部４０６とパワー算出処理制御部４１０に出力する。
【０１３６】
ＨＳ−ＳＣＣＨパワー算出部４０６は、ＵＥ多重決定部４１１からパワー算出処理を中止する指示を受けた場合、ＨＳ−ＳＣＣＨのパワー算出処理を中止する。
【０１３７】
パワー算出処理制御部４１０は、ＵＥ多重決定部４１１からパワー算出処理を中止する指示を受けた場合、パワーの算出処理を中止する。
【０１３８】
パワー算出処理が終了した場合、ＵＥ多重決定部４１１は、ＨＳ−ＳＣＣＨのパワーとＨＳ−ＰＤＳＣＨのパワーの両方がＨＳチャネルパワーリソース以内である多重するパケットや、多重するパケットの変調方式と符号化率や、多重するパケットのＨＳ−ＳＣＣＨのパワーとＨＳ−ＰＤＳＣＨのパワーを出力する。ＨＳ−ＳＣＣＨのパワーがＨＳチャネルパワーリソースを超えたパケットや、ＯＯＲ情報を受けたパケットに対しては、何も出力しない。
【０１３９】
上記説明の構成により、本発明の基地局装置は、送信先の通信端末装置を決定する。次に、上記基地局装置１００の動作について説明する。図４及び図５は、本実施の形態の基地局装置１００の動作の一例を示すフロー図である。
【０１４０】
ＳＴ５０１では、グループ作成部１５０において、伝送レート（通信レート）別にバッファ１５２に保持されたパケットがグループ分けされる。
【０１４１】
ＳＴ５０２では、優先度計算部４０１において、各通信端末装置からのＣＱＩ、ＡＣＫ／ＮＡＣＫ、スループット、または許容遅延時間等から通信の優先度が計算される。
【０１４２】
ＳＴ５０３では、選択ＵＥ決定部４０２において、優先度計算部４０１における優先度計算の結果及びグループ作成部１５０におけるグループ分け情報より、優先度が最も高いパケットを含むグループが決定される。
【０１４３】
ＳＴ５０４では、選択ＵＥ決定部４０２において、優先度が最も高いパケットが属するグループ及び他のグループから優先度が高い順に所定の数のパケット（ＵＥ）が選択される。
【０１４４】
ＳＴ５０５では、ＨＳ−ＳＣＣＨパワー算出部４０６において、優先度が最も高いパケットのＨＳ−ＳＣＣＨのパワーが算出される。
【０１４５】
ＳＴ５０１からＳＴ５０５までの処理と平行してＳＴ５０６からＳＴ５０８までの処理が行われる。ＳＴ５０６では、Ａ−ＤＰＣＨパワー算出部４０３において、Ａｓｓｏｃｉａｔｅｄ  ＤＰＣＨの全パワーが算出される。ＳＴ５０７では、共通チャネルパワー算出部４０４において、共通チャネルのパワーが算出される。
【０１４６】
ＳＴ５０８では、ＨＳチャネルパワーリソース算出部４０５において、利用可能なパワーリソースからＳＴ５０６で算出したＡｓｓｏｃｉａｔｅｄ  ＤＰＣＨの全パワーとＳＴ５０７で算出した共通チャネルのパワーとが減算され、ＨＳチャネルパワーリソースが算出される。
【０１４７】
ＳＴ５０９では、ＨＳ−ＳＣＣＨパワー判定部４０７において、ＳＴ５０５で算出したＨＳ−ＳＣＣＨのパワーがＳＴ５０８で算出したＨＳチャネルパワーリソース以内であるか否か判定される。このパワーがＨＳチャネルパワーリソースを越える場合、ＳＴ５１０に進み、このパワーがＨＳチャネルパワーリソース以内である場合、ＳＴ５１１に進む。
【０１４８】
ＳＴ５１０では、処理の対象となっている通信端末装置にパケットを送信せず、次の送信タイミングの処理に移る。
【０１４９】
ＳＴ５１１では、残りパワー算出部４０９において、ＳＴ５０８で算出したＨＳチャネルパワーリソースからＳＴ５０５で算出したＨＳ−ＳＣＣＨのパワーが減算され、残りのパワーＡが算出される。
【０１５０】
ＳＴ５１２では、ＨＳ−ＰＤＳＣＨパワー算出部４０８において、ＨＳ−ＰＤＳＣＨのパワーを算出する際、ＣＱＩがＯＯＲになる、すなわちＨＳ−ＰＤＳＣＨのパワーが残りのパワーＡを超えるか否か判定される。ＣＱＩがＯＯＲである場合、ＳＴ５１０に進み、ＣＱＩがＯＯＲでない場合、ＳＴ５１３に進む。
【０１５１】
ＳＴ５１３では、残りパワー算出部４０９において、ＳＴ５１１で算出した残りのパワーＡからＳＴ５１２で算出した優先度が最も高いパケットに対して、パケット伝送で使用するＨＳ−ＰＤＳＣＨのパワーが減算され、残りのパワーＢが算出される。
【０１５２】
ＳＴ５１４では、ＵＥ多重決定部４１１において、ＨＳ−ＳＣＣＨとＨＳ−ＰＤＳＣＨの両方のパワーがＨＳチャネルパワーリソース以内であるパケットの数が、ＳＴ５０４で選択したパケットの所定の数に達したか否か判定する。パケットの数が所定の数に達している場合、ＳＴ５１５に進み、パケットの数が所定の数に達していない場合、ＳＴ５１６に進む。
【０１５３】
ＳＴ５１５では、ＵＥ多重決定部４１１において、ＨＳ−ＳＣＣＨとＨＳ−ＰＤＳＣＨの両方のパワーがＨＳチャネルパワーリソース以内であるパケットを多重化して送信する指示が出力される。
【０１５４】
ＳＴ５１６では、ＨＳ−ＳＣＣＨパワー算出部４０６において、次に優先度が高いパケットのＨＳ−ＳＣＣＨのパワーが算出される。
【０１５５】
ＳＴ５１７では、ＨＳ−ＳＣＣＨパワー判定部４０７において、ＳＴ５１６で算出したＨＳ−ＳＣＣＨのパワーがＳＴ５１３で算出した残りのパワーＢ以内であるか否か判定される。このパワーが残りのパワーを越える場合、ＳＴ５１５に進み、このパワーが残りのパワー以内である場合、ＳＴ５１８に進む。
【０１５６】
ＳＴ５１８では、残りパワー算出部４０９において、ＳＴ５１３で算出した残りのパワーＢからＳＴ５１６で算出したＨＳ−ＳＣＣＨのパワーが減算され、残りのパワーＣが算出される。
【０１５７】
ＳＴ５１９では、ＨＳ−ＰＤＳＣＨパワー算出部４０８において、ＨＳ−ＰＤＳＣＨのパワーを算出する際、ＣＱＩがＯＯＲになる、すなわちＨＳ−ＰＤＳＣＨのパワーが残りのパワーＣを超えるか否か判定される。ＣＱＩがＯＯＲである場合、ＳＴ５１５に進み、ＣＱＩがＯＯＲでない場合、ＳＴ５２０に進む。
【０１５８】
ＳＴ５２０では、残りパワー算出部４０９において、ＳＴ５１８で算出した残りのパワーＣからＳＴ５１９で算出した次に優先度が高いパケットに対して、パケット伝送で使用するＨＳ−ＰＤＳＣＨのパワーが減算され、残りのパワーＤが算出され、ＳＴ５１４に処理を戻す。
【０１５９】
このように、本実施の形態の基地局装置によれば、同一タイムスロットで複数の通信端末装置にパケットを多重して無線で送信する装置において、グループ分けして所定の数のパケットを選択し、選択したパケットのみパワーの算出処理を逐次行うため、余分なパワーの算出処理を省き、多重が完了するまでに要する処理量を少なくすることができ、かつ効率的にパワーリソースを使用することができる。さらに一回の送信でパケットデータを完全に送り切ることが多くなり、タイムアウトの発生を少なくすることもできる。
【０１６０】
例えば、優先度が１番目、２番目、４番目、５番目に高いパケットは通信レートが最も低いグループ３、優先度が３番目に高いパケットは通信レートが最も高いグループ１に属する場合、グループ分けしないで優先度の高い順にパワーの算出処理を行うと、優先度が１番目及び２番目に高いパケットについては、通信レートが低いため全てのデータを送信することができるが、優先度が３番目に高いパケットについては、通信レートが高いため全てのデータを送信するためのパワーが足りず、いくらかデータを残して送信した時点でパワーがなくなり、優先度が４番目及び５番目に高いパケットについては、データを送信することができない。一方、グループ分けして優先度が１番目、２番目、４番目、５番目に高いパケットを選択してパワーの算出処理を行うと、優先度が１番目、２番目、４番目、５番目に高いパケットについて、全てのデータを送信することができる。これにより、一回の送信でデータを全て送るパケットの数が多くなり、タイムアウトになるパケットデータを少なくすることができる。
【０１６１】
なお、パワー算出の過程でパワーリソースを超えた場合、または選択されたパケットのパワーを全て算出した場合に、パワーがＨＳチャネルパワーリソース以内である多重するパケットに残るパワーを上乗せして送信してもよい。例えば、優先度が最も高いパケットのパワー（例えば、ＨＳ−ＰＤＳＣＨのパワー）に対して、余っているパワーを全て上乗せして送信する。または、パワーがＨＳチャネルパワーリソース以内である多重する全てのパケットに均等にパワーを上乗せして送信する。または、優先度の高い順にパワーを傾斜配分して上乗せして送信する。または、通信レートの高いパケットに多くのパワーを上乗せして送信する。または、要求する伝送レート（ＣＱＩ等）によってパワーを傾斜配分して上乗せして送信する。
【０１６２】
これにより、残るパワーをパワーがＨＳチャネルパワーリソース以内である多重するパケットに配分して送信するため、通信端末装置においてより良い受信品質を得ることができ、再送を削減することができ、システム全体の効率を上げることができる。
【０１６３】
また、優先度の高いパケットから順に所定の数のパワーを算出した後に、通信レートの低いパケットから順にパワーを算出してもよい。
【０１６４】
また、優先度の高い順にパワーを算出するのではなく、通信レートの低いパケットから順にパワーを算出してもよい。
【０１６５】
これらにより、通信レートの低いパケットから優先してパワーの算出処理を行うため、一回の送信でパケットデータを完全に送り切ることが多くなり、タイムアウトの発生を少なくすることができる。
【０１６６】
また、ＨＳ−ＳＣＣＨのパワーとＨＳ−ＰＤＳＣＨのパワーの両方がＨＳチャネルパワーリソース以内であるパケットの数が選択したパケットの数に達したとき、パワー算出処理を中止するが、ＨＳ−ＳＣＣＨのパワーとＨＳ−ＰＤＳＣＨのパワーの両方がＨＳチャネルパワーリソース以内であるパケットの数が選択したパケットの数に達する前に残りのパワーが「０」あるいは、所定の値以下になったとき、パワー算出処理を中止してもよい。
【０１６７】
これにより、パケットのパワーを算出しても共有チャネルのパワーリソースを超えてしまうほど残りのが少なくなった時点でパワーの算出処理を中止するため、余分なパワーの算出処理を省くことができ、多重が完了するまでに要する処理量を少なくすることができる。
【０１６８】
（実施の形態２）
図６は、本発明の実施の形態２に係る基地局装置のスケジューラ部の構成を示すブロック図である。但し、図３と同一の構成となるものについては、図３と同一番号を付し、詳しい説明を省略する。
【０１６９】
図１のスケジューラ部１５１は、ＨＳ−ＳＣＣＨパワー算出部７０６と、ＨＳ−ＳＣＣＨパワー判定部７０７と、ＨＳ−ＰＤＳＣＨパワー算出部７０８と、残りパワー算出部７０９と、パワー算出処理制御部７１０と、ＵＥ多重決定部７１１と、パワー割り当て部７１２を具備し、パケット毎に利用可能なパワーを予め算出し割り当て、選択されたパケットのＨＳ−ＳＣＣＨとＨＳ−ＰＤＳＣＨのパワーを算出し、パワーが割り当てられたパワー以内であるパケットを送信する点が図３のスケジューラ部と異なる。
【０１７０】
選択ＵＥ決定部４０２は、選択したパケットと選択したパケットのＣＱＩ信号等をＨＳ−ＳＣＣＨパワー算出部７０６とパワー割り当て部７１２に出力する。
【０１７１】
ＨＳチャネルパワーリソース算出部４０５は、利用可能なパワーリソースからＡ−ＤＰＣＨパワー算出部４０３で算出したＡｓｓｏｃｉａｔｅｄ  ＤＰＣＨの全パワーと共通チャネルパワー算出部４０４で算出した共通チャネルのパワーとを減算してＨＳチャネルパワーリソースを算出し、パワー割り当て部７１２に出力する。
【０１７２】
パワー割り当て部７１２は、ＨＳチャネルパワーリソース算出部４０５で算出したＨＳチャネルパワーリソースに基づいて、選択ＵＥ決定部４０２で選択したパケット毎に利用可能なパワーを予め算出し割り当て、選択ＵＥ決定部４０２で選択したパケット全てを、パワー算出処理を行うパケットとしてＨＳ−ＳＣＣＨパワー算出部７０６に出力し、パケット毎に割り当てられたパワーをパワー算出処理制御部７１０に出力する。
【０１７３】
例えば、ＨＳチャネルパワーリソース算出部４０５で算出したＨＳチャネルパワーリソースが１０、選択ＵＥ決定部４０２で選択したパケットの数が４のとき、パケット毎にパワーを４、３、２、１に割り当てる。
【０１７４】
ＨＳ−ＳＣＣＨパワー算出部７０６は、選択ＵＥ決定部４０２で選択したパケットに対して、パワー割り当て部７１２から出力されたパワー算出処理を行うパケットのみＨＳ−ＳＣＣＨのパワーを算出し、ＨＳ−ＳＣＣＨパワー判定部７０７に出力する。
【０１７５】
パワー算出処理制御部７１０は、パケット毎に割り当てられたパワーをＨＳ−ＳＣＣＨパワー判定部７０７に出力する。
【０１７６】
ＨＳ−ＳＣＣＨパワー判定部７０７は、ＨＳ−ＳＣＣＨパワー算出部７０６でＨＳ−ＳＣＣＨのパワーを算出した全てのパケットに対して、ＨＳ−ＳＣＣＨパワー算出部７０６で算出したＨＳ−ＳＣＣＨのパワーが、パワー算出処理制御部７１０から指示された割り当てられたパワー以内であるか否か判定する。ＨＳ−ＳＣＣＨのパワーが割り当てられたパワー以内であるパケット全てに対して、ＨＳ−ＳＣＣＨパワー判定部７０７は、パケット毎のＨＳ−ＳＣＣＨのパワーを残りパワー算出部７０９及びＵＥ多重決定部７１１に出力し、ＨＳ−ＳＣＣＨのパワーが割り当てられたパワー以内であるパケットの情報をＨＳ−ＰＤＳＣＨパワー算出部７０８、ＵＥ多重決定部７１１及びパワー算出処理制御部７１０に出力する。
【０１７７】
ＨＳ−ＳＣＣＨパワー判定部７０７からＨＳ−ＳＣＣＨのパワーが割り当てられたパワー以内である情報を受けたパケット全てに対して、パワー算出処理制御部７１０は、割り当てられたパワーからＨＳ−ＳＣＣＨのパワーを減算する指示を、残りパワー算出部７０９に出力する。
【０１７８】
残りパワー算出部７０９は、パワー算出処理制御部７１０から出力された割り当てられたパワーからＨＳ−ＳＣＣＨのパワーを減算し、パケット毎の残りのパワーをパワー算出処理制御部７１０に出力する。
【０１７９】
ＨＳ−ＳＣＣＨのパワーがパワー算出処理制御部７１０から出力された割り当てられたパワーを越えていたパケット全てに対して、ＨＳ−ＳＣＣＨパワー判定部７０７は、割り当てられたパワーを越えたパケットの情報を、ＵＥ多重決定部７１１に出力する。
【０１８０】
ＨＳ−ＳＣＣＨパワー判定部７０７からＨＳ−ＳＣＣＨのパワーが割り当てられたパワー以内である情報を受けた全てのパケットに対して、パワー算出処理制御部７１０は、ＨＳ−ＰＤＳＣＨのパワーを算出する指示を、ＨＳ−ＰＤＳＣＨパワー算出部７０８に出力する。また、パワー算出処理制御部７１０は、残りパワー算出部７０９から出力されたパケット毎の残りのパワーを、ＨＳ−ＰＤＳＣＨパワー算出部７０８に出力する。
【０１８１】
ＨＳ−ＰＤＳＣＨパワー算出部７０８は、パケット毎に対応したＣＱＩ信号と、パワー算出処理制御部７１０から出力されたパケット毎の残りのパワー等から、パケット毎のＨＳ−ＰＤＳＣＨのパワーを算出及び変調方式と符号化率を決定し、パケット毎のＨＳ−ＰＤＳＣＨのパワーをＵＥ多重決定部７１１に出力し、パケット毎のＨＳ−ＰＤＳＣＨの変調方式と符号化率をＵＥ多重決定部７１１に出力し、ＨＳ−ＰＤＳＣＨが割り当てられたパワー以内であるパケットの情報をＵＥ多重決定部７１１に出力する。
【０１８２】
ＨＳ−ＰＤＳＣＨのパワーの算出の際、ＣＱＩ信号がＯＯＲになる、すなわちＨＳ−ＰＤＳＣＨのパワーが残りのパワーを超える全てのパケットに対して、ＨＳ−ＰＤＳＣＨパワー算出部７０８は、ＯＯＲであるパケットの情報をＵＥ多重決定部７１１に出力する。
【０１８３】
ＵＥ多重決定部７１１は、ＨＳ−ＳＣＣＨのパワーとＨＳ−ＰＤＳＣＨのパワーの両方が割り当てられたパワー以内である多重するパケットや、多重するパケットの変調方式と符号化率や、多重するパケットのＨＳ−ＳＣＣＨのパワーとＨＳ−ＰＤＳＣＨのパワーを出力する。ＨＳ−ＳＣＣＨのパワーが割り当てられたパワーを超えたパケットや、ＯＯＲ情報を受けたパケットに対しては、何も出力しない。
【０１８４】
なお、パワー割り当て部７１２は、グループすなわち通信レートに基づいて、パケット毎に必要なパワーを予め決めておき、選択したパケットに対して必要なパワーを加算して、加算したパワーの総計がＨＳチャネルパワーリソース算出部４０５で算出したＨＳチャネルパワーリソース以内であるパケットの組み合わせを決定し、そのパワーを決定されたパケット毎に割り当て、決定されたパケットを、パワー算出処理を行うパケットとしてＨＳ−ＳＣＣＨパワー算出部７０６に出力し、決定されたパケット毎に割り当てられたパワーをパワー算出処理制御部７１０に出力してもよい。
【０１８５】
例えば、ＨＳチャネルパワーリソース算出部４０５で算出したＨＳチャネルパワーリソースが８、選択ＵＥ決定部４０２で選択したパケットの数が４、パケット毎に予め決められた必要なパワーを優先度の高い順に４、３、２、１とすると、優先度の高い順に必要なパワーを加算するとき、優先度１番と優先度２番のパケットを、パワー算出処理を行うパケットとする。または、優先度に関わらず必要なパワーを加算するとき、例えば、優先度１番と優先度２番の優先度４番のパケットを、パワー算出処理を行うパケットとする。
【０１８６】
また、パワー割り当て部７１２は、グループすなわち通信レートに基づいて、パケット毎に必要なパワーを予め決めておき、そのパワーをパケット毎に割り当て、選択ＵＥ決定部４０２で選択したパケット全てを、パワー算出処理を行うパケットとしてＨＳ−ＳＣＣＨパワー算出部７０６に出力し、パケット毎に割り当てられたパワーをパワー算出処理制御部７１０に出力してもよい。
【０１８７】
この場合、パワー算出処理制御部７１０は、ＨＳチャネルパワーリソース算出部４０５で算出したＨＳチャネルパワーリソースをＵＥ多重決定部７１１に出力し、ＵＥ多重決定部７１１は、ＨＳ−ＳＣＣＨのパワーとＨＳ−ＰＤＳＣＨのパワーの両方が割り当てられたパワー以内である多重するパケットに対して、パケット毎のＨＳ−ＳＣＣＨのパワーとパケット毎のＨＳ−ＰＤＳＣＨのパワーを加算して、加算したパワーの総計がＨＳチャネルパワーリソース以内であるパケットの組み合わせを決定し、決定された多重するパケットや、多重するパケットの変調方式と符号化率や、多重するパケットのＨＳ−ＳＣＣＨのパワーとＨＳ−ＰＤＳＣＨのパワーを出力する。
【０１８８】
例えば、ＨＳチャネルパワーリソース算出部４０５で算出したＨＳチャネルパワーリソースが５、選択ＵＥ決定部４０２で選択したパケットの数が４、パケット毎に予め決められた必要なパワーを優先度の高い順に４、３、２、１として、ＨＳ−ＳＣＣＨのパワーとＨＳ−ＰＤＳＣＨのパワーの両方を割り当てたパケットが優先度１番と優先度３番と優先度４番、そのパケットのパワーを４、２、１とすると、優先度の高い順にパワーを加算するとき、優先度１番のパケットを、多重するパケットとする。または、優先度に関わらずパワーを加算するとき、例えば、優先度１番と優先度４番のパケットを、多重するパケットとする。
【０１８９】
なお、ＨＳチャネルパワーリソース算出部４０５で算出したＨＳチャネルパワーリソースに基づいて、選択ＵＥ決定部４０２で選択したパケット毎に利用可能なパワーを予め算出し割り当てる、またはグループすなわち通信レートに基づいて、パケット毎に必要なパワーを予め決める際、パワー算出処理制御部７１０は、例えば、送信先のパケット数で均等にパワーを割り当てる。
【０１９０】
これにより、均等にパワーを割り当てるため、簡単な処理でパケット毎に利用可能なパワーを算出することができる。
【０１９１】
また、ＨＳチャネルパワーリソース算出部４０５で算出したＨＳチャネルパワーリソースに基づいて、選択ＵＥ決定部４０２で選択したパケット毎に利用可能なパワーを予め算出し割り当てる、またはグループすなわち通信レートに基づいて、パケット毎に必要なパワーを予め決める際、パワー算出処理制御部７１０は、例えば、通信レートの低いパケットより通信レートの高いパケットにパワーを多く割り当ててもよい。
【０１９２】
これにより、多くのパワーを必要とする通信レートの高いパケットに多くのパワーを割り当てるため、算出された共有チャネルのパワーが割り当てられたパワー以内になる確率が高くなり、効率的にパワーリソースを使用することができる。
【０１９３】
また、ＨＳチャネルパワーリソース算出部４０５で算出したＨＳチャネルパワーリソースに基づいて、選択ＵＥ決定部４０２で選択したパケット毎に利用可能なパワーを予め算出し割り当てる、またはグループすなわち通信レートに基づいて、パケット毎に必要なパワーを予め決める際、パワー算出処理制御部７１０は、例えば、要求する伝送レート（ＣＱＩ等）の低いパケットより要求する伝送レートの高いパケットにパワーを多く割り当ててもよい。
【０１９４】
これにより、要求する伝送レートの高いパケットに多くのパワーを割り当てるため、要求する伝送レートの高いパケットについて、算出された共有チャネルのパワーが割り当てられたパワー以内になる確率が高くなり、通信端末装置においてより良い受信品質を得ることができ、再送を削減することができ、システム全体の効率を上げることができる。
【０１９５】
また、ＨＳチャネルパワーリソース算出部４０５で算出したＨＳチャネルパワーリソースに基づいて、選択ＵＥ決定部４０２で選択したパケット毎に利用可能なパワーを予め算出し割り当てる、またはグループすなわち通信レートに基づいて、パケット毎に必要なパワーを予め決める際、パワー算出処理制御部７１０は、例えば、要求する伝送レート（ＣＱＩ等）の高いパケットより要求する伝送レートの低いパケットにパワーを多く割り当ててもよい。
【０１９６】
これにより、要求する伝送レートの低い、すなわち受信品質が悪く多くのパワーを必要とするパケットに多くのパワーを割り当てるため、算出された共有チャネルのパワーが割り当てられたパワー以内になる確率が高くなり、より効率的にパワーリソースを使用することができる。
【０１９７】
また、ＨＳチャネルパワーリソース算出部４０５で算出したＨＳチャネルパワーリソースに基づいて、選択ＵＥ決定部４０２で選択したパケット毎に利用可能なパワーを予め算出し割り当てる、またはグループすなわち通信レートに基づいて、パケット毎に必要なパワーを予め決める際、パワー算出処理制御部７１０は、例えば、優先度の低いパケットより優先度の高いパケットにパワーを多く割り当ててもよい。
【０１９８】
これにより、優先度の高いパケットに多くのパワーを割り当てるため、優先度の高いパケットについて、算出された共有チャネルのパワーが割り当てられたパワー以内になる確率が高くなり、通信端末装置においてより良い受信品質を得ることができ、再送を削減することができ、システム全体の効率を上げることができる。
【０１９９】
上記説明の構成により、本発明の基地局装置は、送信先の通信端末装置を決定する。次に、上記基地局装置１００の動作について説明する。
【０２００】
図７及び図８は、本実施の形態の基地局装置１００の動作の一例を示すフロー図である。
【０２０１】
ＳＴ８０１では、グループ作成部１５０において、伝送レート（通信レート）別にバッファ１５２に保持されたパケットがグループ分けされる。
【０２０２】
ＳＴ８０２では、優先度計算部４０１において、各通信端末装置からのＣＱＩ、ＡＣＫ／ＮＡＣＫ、スループット、または許容遅延時間等から通信の優先度が計算される。
【０２０３】
ＳＴ８０３では、選択ＵＥ決定部４０２において、優先度計算部４０１における優先度計算の結果及びグループ作成部１５０におけるグループ分け情報より、優先度が最も高いパケットを含むグループが決定される。
【０２０４】
ＳＴ８０４では、選択ＵＥ決定部４０２において、優先度が最も高いパケットが属するグループ及び他のグループから優先度が高い順に所定の数のパケットが選択される。
【０２０５】
ＳＴ８０１からＳＴ８０４までの処理と平行してＳＴ８０５からＳＴ８０７までの処理が行われる。ＳＴ８０５では、Ａ−ＤＰＣＨパワー算出部４０３において、Ａｓｓｏｃｉａｔｅｄ  ＤＰＣＨの全パワーが算出される。ＳＴ８０６では、共通チャネルパワー算出部４０４において、共通チャネルのパワーが算出される。
【０２０６】
ＳＴ８０７では、ＨＳチャネルパワーリソース算出部４０５において、利用可能なパワーリソースからＳＴ８０５で算出したＡｓｓｏｃｉａｔｅｄ  ＤＰＣＨの全パワーとＳＴ８０６で算出した共通チャネルのパワーとが減算され、ＨＳチャネルパワーリソースが算出される。
【０２０７】
ＳＴ８０８では、パワー割り当て部７１２において、ＨＳチャネルパワーリソースが選択したパケット毎に割り当てられる。
【０２０８】
ＳＴ８０９からＳＴ８１５までの処理は、全パケットを対象としてパケット毎に並列的に実行される。ＳＴ８１０では、ＨＳ−ＳＣＣＨパワー算出部７０６において、パケットのＨＳ−ＳＣＣＨのパワーが算出される。
【０２０９】
ＳＴ８１１では、ＨＳ−ＳＣＣＨパワー判定部７０７において、ＳＴ８１０で算出したＨＳ−ＳＣＣＨのパワーがＳＴ８０８で割り当てられたパワー以内であるか否か判定される。このパワーが割り当てられたパワーを越える場合、ＳＴ８１２に進み、このパワーが割り当てられたパワー以内である場合、ＳＴ８１３に進む。
【０２１０】
ＳＴ８１２では、処理の対象となっている通信端末装置にパケットを送信しないことがＵＥ多重決定部７１１に通知され、ＳＴ８１５に進む。
【０２１１】
ＳＴ８１３では、残りパワー算出部７０９において、割り当てられたパワーからＳＴ８１０で算出したＨＳ−ＳＣＣＨのパワーが減算され、残りのパワーが算出される。
【０２１２】
ＳＴ８１４では、ＨＳ−ＰＤＳＣＨパワー算出部７０８において、ＨＳ−ＰＤＳＣＨのパワーを算出する際、ＣＱＩがＯＯＲになる、すなわちＨＳ−ＰＤＳＣＨのパワーが残りのパワーを超えるか否か判定される。ＣＱＩがＯＯＲである場合、ＳＴ８１２に進み、ＣＱＩがＯＯＲでない場合、パケット伝送で使用するＨＳ−ＰＤＳＣＨのパワーを算出し、ＳＴ８１５に進む。
【０２１３】
ＳＴ８１５では、全てのパケットについてＳＴ８１０からＳＴ８１４までの処理が終了している場合、ＳＴ８１６に進み、終了していない場合、ＳＴ８０９に戻る。
【０２１４】
ＳＴ８１６では、ＵＥ多重決定部７１１において、ＨＳ−ＳＣＣＨとＨＳ−ＰＤＳＣＨの両方のパワーが割り当てられたパワー以内であるパケットを多重化して送信する指示が出力される。
【０２１５】
このように、本実施の形態の基地局装置によれば、同一タイムスロットで複数の通信端末装置にパケットを多重して無線で送信する装置において、グループ分けして所定の数のパケットを選択し、選択したパケットに絞ってパワーの算出処理を行うだけでなく、パケット毎に利用可能なパワーを予め算出し割り当て、共有チャネルのパワーが、割り当てられたパワー以内であるパケットを送信するため、残りのパワーを算出する必要がなくなり、多重が完了するまでに要する処理量をさらに少なくすることができる。さらに、パワー算出を並列処理で行うこともできる。
【０２１６】
なお、多重するパケットの数は、ＨＳ−ＳＣＣＨが送信可能な数に制限されるため、グループ分けしないで優先度の高い順にパケット毎にパワーを割り当てると、パワーリソースに残りが生じることがある。
【０２１７】
例えば、多重するパケットの数が３に制限されたとする。優先度が１番目、２番目、３番目に高いパケットは通信レートが最も低いグループ３、優先度が４番目に高いパケットは通信レートが２番目に高いグループ２に属する場合、グループ分けしないで優先度の高い順にパケット毎にパワーを割り当てると、優先度が１番目、２番目、３番目に高いパケットにパワーを割り当てても、通信レートが低いためパワーリソースに残りが生じる。または、パワーを全て割り当てても、各パケットに必要なパワー以上のパワーを割り当てることになる。一方、グループ分けして優先度が１番目、２番目、４番目に高いパケットを選択してパケット毎にパワーを割り当てると、パワーリソースに残りが生じず、効率的にパワーリソースを使用することができる。
【０２１８】
なお、パケット送信のパワーが予め割り当てられたパワー以内である場合、パケットを送信するパワーは、割り当てられたパワー全てを使って送信してもよい。
【０２１９】
また、パケット送信のパワーが予め割り当てられたパワーを超えてパケット送信に使われなかった場合、パケットを送信するパワーに使われなかった残りのパワーを上乗せして送信してもよい。
【０２２０】
これらにより、パケット送信のパワーを割り当てられたパワー全てを使って送信するため、通信端末装置においてより良い受信品質を得ることができ、再送を削減することができ、システム全体の効率を上げることができる。
【０２２１】
また、割り当てられたパワーからＨＳ−ＳＣＣＨのパワーを減算して残りのパワーを算出し、残りのパワーを用いてＨＳ−ＰＤＳＣＨのパワーを算出しているが、残りのパワーを算出しないで独立にＨＳ−ＰＤＳＣＨのパワーを算出してもよい。
【０２２２】
（実施の形態３）
図９は、図１に示した基地局装置と無線通信を行う通信端末装置の構成を示すブロック図である。図９の通信端末装置９００は、基地局装置１００から個別データ、共通チャネルデータ、パケットデータ、ＨＳ−ＳＣＣＨ用信号を受信する。以下、図９の通信端末装置９００の各構成部分の作用について説明する。
【０２２３】
共用器９０２は、アンテナ９０１に受信された信号を受信ＲＦ部９０３に出力する。また、共用器９０２は、送信ＲＦ部９５８から出力された信号をアンテナ９０１から無線送信する。
【０２２４】
受信ＲＦ部９０３は、共用器９０２から出力された無線周波数の受信信号をベースバンドのディジタル信号に変換し、ＨＳ−ＰＤＳＣＨの信号をバッファ９０４に出力し、ＨＳ−ＳＣＣＨ用信号を復調部９０５に出力し、ＤＰＣＨの信号を復調部９０８に出力し、共通チャネルの信号をＣＩＲ（Ｃａｒｒｉｅｒ  ｔｏ  Ｉｎｔｅｒｆｅｒｅｎｃｅ  Ｒａｔｉｏ）測定部９１２にする。
【０２２５】
バッファ９０４は、ＨＳ−ＰＤＳＣＨの信号を一時的に保存して復調部９０６に出力する。
【０２２６】
復調部９０５は、ＨＳ−ＳＣＣＨ用信号に対して逆拡散、ＲＡＫＥ合成、誤り訂正復号等の復調処理を行い、自局宛パケットデータの到来タイミング、当該パケットデータの符号化率及び変調方式等、パケットデータの復調に必要な情報を取得して復調部９０６に出力する。
【０２２７】
復調部９０６は、復調部９０５にて取得された情報に基づいてバッファに保存されているＨＳ−ＰＤＳＣＨの信号に対して逆拡散、ＲＡＫＥ合成、誤り訂正復号等の復調処理を行い、復調処理によって得られたパケットデータを誤り検出部９０７に出力する。
【０２２８】
誤り検出部９０７は、復調部９０６から出力されたパケットデータに対して誤り検出を行い、誤りが検出されなかった場合にはＡＣＫ信号を、誤りが検出されなかった場合にはＮＡＣＫ信号を多重部９５１に出力する。
【０２２９】
復調部９０８は、ＤＰＣＨの信号に対して逆拡散、ＲＡＫＥ合成、誤り訂正復号等の復調処理を行い、分離部９０９に出力する。
【０２３０】
分離部９０９は、復調部９０８の出力信号をデータと制御信号とに分離する。分離部９０９にて分離された制御信号には、ＵＬ用ＴＰＣコマンド等が含まれる。ＵＬ用ＴＰＣコマンドは送信電力制御部９５７に出力される。
【０２３１】
ＳＩＲ測定部９１０は、復調の過程で測定される希望波レベル及び干渉波レベルによって下り回線の受信ＳＩＲを測定し、ＳＩＲを示す信号をＴＰＣコマンド生成部９１１に出力する。
【０２３２】
ＴＰＣコマンド生成部９１１は、下り回線の受信ＳＩＲと目標ＳＩＲとの大小関係によりＤＬ用ＴＰＣコマンドを生成し、多重部９５４に出力する。
【０２３３】
ＣＩＲ測定部９１２は、基地局装置からの共通チャネルの信号を用いてＣＩＲを測定し、測定結果をＣＱＩ生成部９１３に出力する。ＣＱＩ生成部９１３は、基地局装置から送信された信号のＣＩＲに基づくＣＱＩ信号を生成して多重部９５１に出力する。
【０２３４】
多重部９５１は、ＣＱＩ信号及びＡＣＫ／ＮＡＣＫ信号を多重して変調部９５２に出力する。変調部９５２は、多重部９５１の出力信号に対して誤り訂正符号化、変調及び拡散を行って多重部９５６に出力する。
【０２３５】
変調部９５３は、基地局装置１００に送信するデータに対して誤り訂正符号化、変調及び拡散を行って多重部９５６に出力する。
【０２３６】
多重部９５４は、ＤＬ用ＴＰＣコマンド、パイロット信号を多重して変調部９５５に出力する。変調部９５５は、多重部９５４の出力信号に対して誤り訂正符号化、変調及び拡散を行って多重部９５６に出力する。
【０２３７】
多重部９５６は、変調部９５２、変調部９５３及び変調部９５５の各出力信号を多重し、送信ＲＦ部９５８に出力する。
【０２３８】
送信電力制御部９５７は、ＵＬ用ＴＰＣコマンドに従って送信ＲＦ部９５８の増幅量を制御することにより、多重部９５６の出力信号の送信電力を制御する。なお、複数の基地局装置と接続している場合、送信電力制御部９５７は、全てのＵＬ用ＴＰＣコマンドが送信電力の上昇を指示する場合のみ送信電力を上昇させる制御を行う。
【０２３９】
送信ＲＦ部９５８は、多重部９５６から出力されたベースバンドのディジタル信号を増幅し、無線周波数の信号に変換して共用器９０２に出力する。
【０２４０】
なお、実施の形態１及び実施の形態２では、Ａｓｓｏｃｉａｔｅｄ  ＤＰＣＨ及び共通チャネルのパワーを計算して求めているが、これに限らず、Ａｓｓｏｃｉａｔｅｄ  ＤＰＣＨ及び共通チャネルのパワーを予め定めた値に決めてもよい。
【０２４１】
これにより、Ａｓｓｏｃｉａｔｅｄ  ＤＰＣＨのパワーと共通の制御チャネルのパワーを予め定めた値にするため、Ａｓｓｏｃｉａｔｅｄ  ＤＰＣＨのパワーと共通の制御チャネルのパワーを算出する必要がなく、処理量をより少なくすることができる。
【０２４２】
また、例えば、Ａｓｓｏｃｉａｔｅｄ  ＤＰＣＨの予め定めた値は、Ａｓｓｏｃｉａｔｅｄ  ＤＰＣＨの数が多い場合は大きく、Ａｓｓｏｃｉａｔｅｄ  ＤＰＣＨの数が少ない場合は小さくする。
【０２４３】
これにより、Ａｓｓｏｃｉａｔｅｄ  ＤＰＣＨの数が多いときはパワーを多く必要とするため、Ａｓｓｏｃｉａｔｅｄ  ＤＰＣＨのパワーの所定の値を大きくすることで処理量をより少なくすることができ、かつ効率的にパワーリソースを使用することができる。
【０２４４】
また、例えば、Ａｓｓｏｃｉａｔｅｄ  ＤＰＣＨの予め定めた値は、通信端末装置から基地局装置へのＴＰＣビットの分布から電力を上げる要求が多い場合は大きく、電力を下げる要求が多い場合は小さくする。
【０２４５】
これにより、送信電力を上げる要求が多いときは通信端末装置の受信品質が悪いのでパワーを多く必要とするため、Ａｓｓｏｃｉａｔｅｄ  ＤＰＣＨのパワーの所定の値を大きくすることで処理量をより少なくすることができ、かつ効率的にパワーリソースを使用することができる。
【０２４６】
また、上記説明では、ＨＳ−ＳＣＣＨのパワーをＤＰＣＨのパワーとオフセット等に基づいて算出しているが、これに限らずＨＳ−ＳＣＣＨのパワーを算出できる方法であればよい。例えば、ＨＳ−ＳＣＣＨのパワーを固定したパワーとして算出してもよい。
【０２４７】
また、実施の形態１と実施の形態２を組み合わせてもよい。例えば、優先度が最も高いパケットは実施の形態１でパワー算出し、優先度が２番目以降のパケットは実施の形態２でパワーを算出してもよい。
【０２４８】
また、上記説明では、同一タイムスロットで複数の通信端末装置にパケットをコード多重するＨＳＤＰＡを用いてパケットを伝送する例について説明しているが、これに限らず、複数の通信端末装置宛にパケットを多重化してスケジューリングを行う通信であれば、いずれにも適用できる。
【０２４９】
例えば、複数の通信端末装置にパケットをコード多重、または時間多重、あるいは周波数多重してスケジューリングを行う通信であれば、いずれにも適用できる。時間多重の場合、あるフレーム単位の中の複数のタイムスロットでスケジューリングを行う。周波数多重の場合、同一タイムスロットで各周波数毎にスケジューリングを行う。
【０２５０】
なお、上記説明では、無線送信装置を基地局装置、送信先装置を通信端末装置として、基地局装置で決定したスケジュールを基地局装置から通信端末装置にパケットを送信する下り伝送に用いている例について説明しているが、これに限らず、通信端末装置から基地局装置にパケットを送信する上り伝送に用いてもよい。
【０２５１】
例えば、基地局装置において、上記説明のスケジューリングを行い、決定したスケジュールを通信端末装置に送信し、通信端末装置がこのスケジュールに基づいてパケットを基地局装置に送信することができる。
【０２５２】
また、本発明は上記実施の形態に限定されず、種々変更して実施することが可能である。例えば、上記実施の形態では、基地局装置として行う場合について説明しているが、これに限られるものではなく、この送信方法をソフトウェアとして行うことも可能である。
【０２５３】
例えば、上記送信方法を実行するプログラムを予めＲＯＭ（Ｒｅａｄ  Ｏｎｌｙ  Ｍｅｍｏｒｙ）に格納しておき、そのプログラムをＣＰＵ（Ｃｅｎｔｒａｌ  Ｐｒｏｃｅｓｓｏｒ  Ｕｎｉｔ）によって動作させるようにしてもよい。
【０２５４】
また、上記送信方法を実行するプログラムをコンピュータで読み取り可能な記憶媒体に格納し、記憶媒体に格納されたプログラムをコンピュータのＲＡＭ（Ｒａｎｄｏｍ  Ａｃｃｅｓｓ  Ｍｅｍｏｒｙ）に記録して、コンピュータをそのプログラムにしたがって動作させるようにしてもよい。
【０２５５】
【発明の効果】
以上説明したように、本発明によれば、同一タイムスロット複数の通信装置にパケットを多重して無線で送信する装置において、パケットを通信レートでグループ分けし、パケットの優先度を計算し、各グループから所定の数のパケットを優先度の高い順に選択し、選択したパケットのみパワーの算出処理を逐次行うことにより、余分なパワーの算出処理を省き、多重が完了するまでに要する処理量を少なくすることができ、かつ効率的にパワーリソースを使用することができる。さらに、一回の送信でパケットデータを完全に送り切ることが多くなり、タイムアウトの発生を少なくすることもできる。
【０２５６】
また、本発明によれば、パケットを通信レートでグループ分けし、パケットの優先度を計算し、各グループから所定の数のパケットを優先度の高い順に選択し、選択したパケットに絞ってパワーの算出処理を行うだけでなく、パケット毎に利用可能なパワーを予め算出し割り当て、共有チャネルのパワーが、割り当てられたパワー以内であるパケットを送信することにより、残りのパワーを算出する必要がなくなり、多重が完了するまでに要する処理量をさらに少なくすることができる。さらに、パワー算出を並列処理で行うこともできる。
【図面の簡単な説明】
【図１】本発明の実施の形態１に係る基地局装置の構成を示すブロック図
【図２】上記の形態の基地局装置のグループ作成部の構成を示す図
【図３】上記実施の形態の基地局装置のスケジューラ部の構成を示すブロック図
【図４】上記実施の形態の基地局装置の動作の一例を示すフロー図
【図５】上記実施の形態の基地局装置の動作の一例を示すフロー図
【図６】本発明の実施の形態２に係る基地局装置のスケジューラ部の構成を示すブロック図
【図７】上記実施の形態の基地局装置の動作の一例を示すフロー図
【図８】上記実施の形態の基地局装置の動作の一例を示すフロー図
【図９】図１に示した基地局装置と無線通信を行う通信端末装置の構成を示すブロック図
【図１０】従来の基地局装置のスケジューラ部の構成を示すブロック図
【符号の説明】
１５１  スケジューラ部
１５２  バッファ
１５３  変調部
１５４  送信電力制御部
４０１  優先度計算部
４０２  選択ＵＥ決定部
４０３  Ａ−ＤＰＣＨパワー算出部
４０４  共通チャネルパワー算出部
４０５  ＨＳチャネルパワーリソース算出部
４０６  ＨＳ−ＳＣＣＨパワー算出部
４０７  ＨＳ−ＳＣＣＨパワー判定部
４０８  ＨＳ−ＰＤＳＣＨパワー算出部
４０９  残りパワー算出部
４１０  パワー算出処理制御部
４１１  ＵＥ多重決定部
７０６  ＨＳ−ＳＣＣＨパワー算出部
７０７  ＨＳ−ＳＣＣＨパワー判定部
７０８  ＨＳ−ＰＤＳＣＨパワー算出部
７０９  残りパワー算出部
７１０  パワー算出処理制御部
７１１  ＵＥ多重決定部
７１２  パワー割り当て部
【図１】
2004297364.tif 000003
【図２】
2004297364.tif 000004
【図３】
2004297364.tif 000005
【図４】
2004297364.tif 000006
【図５】
2004297364.tif 000007
【図６】
2004297364.tif 000008
【図７】
2004297364.tif 000009
【図８】
2004297364.tif 000010
【図９】
2004297364.tif 000011
【図１０】
2004297364.tif 000012